(57)【要約】      （修正有）【課題】遊技者の一時離席の手続きを簡略化して利便性を向上すると共に、離席終了時間経過後等において遊技機の稼働率を低下させない台間機を提供する。【解決手段】台間機は、離席ボタンが押されると離席モードに移行させ、離席モード情報と離席モード開始時刻とをカードに記録して排出する。他の台間機に離席モード情報が記録されているカードを挿入した場合において（Ｓ２０４）、現在時刻が、カードに記録されている離席モード開始時刻に離席終了時間を加算した離席モード終了時刻以降である場合には（Ｓ２１０）、当該カードを使用可能とする（Ｓ２４０）。また、離席モード終了時刻以前である場合であっても（Ｓ２１０）、リモート解除するか否かの判断を遊技者に乞う情報を表示し（Ｓ２２２）、利用者から離席モードのリモート解除指示を取得すると（Ｓ２２４）、カードを受入れて使用可能とする（Ｓ２４０）。【選択図】図１０
2020185429.tif 000002
【特許請求の範囲】
【請求項１】
遊技機に併設され、遊技中における遊技者の離席状態を管理することが可能な台間機であって、
記録媒体に記録されている情報の読取り及び情報の書込みを行うリーダライタと、
遊技者による指示を取得する指示取得手段と、
遊技者の前記離席状態に関する管理を行う離席モード管理手段と、
前記離席状態に関する情報及び離席終了時間を記憶する記憶手段と、
経過時間を計時する計時手段と、
現在時刻を取得する現在時刻取得手段と、
を備え、
前記離席モード管理手段は、
前記指示取得手段から離席ボタンの操作情報を取得すると、
自機を離席モードに移行させ、
前記記憶手段に、自機が離席モードに移行したことを示す離席モード情報と、前記記録媒体から読み取った前記記録媒体固有の識別情報とを関連付けて記憶し、
前記計時手段による時間の計時を開始し、
前記リーダライタに対して、前記離席モード情報と、前記離席モードに移行した離席モード開始時刻又は前記離席モード開始時刻に前記離席終了時間を加算した離席モード終了時刻とを前記記録媒体に記録して排出することを指示する、
ことを特徴とする台間機。
【請求項２】
遊技機に併設され、遊技中における遊技者の離席状態を管理することが可能な台間機であって、
記録媒体に記録されている情報の読取り及び情報の書込みを行うリーダライタと、
遊技者による指示を取得する指示取得手段と、
遊技者の前記離席状態に関する管理を行う離席モード管理手段と、
前記離席状態に関する情報及び離席終了時間を記憶する記憶手段と、
現在時刻を取得する現在時刻取得手段と、
を備え、
前記離席モード管理手段は、
前記指示取得手段から離席ボタンの操作情報を取得すると、
自機を離席モードに移行させ、
前記記憶手段に、自機が離席モードに移行したことを示す離席モード情報と、前記離席モードに移行した離席モード開始時刻又は前記離席モード開始時刻に前記離席終了時間を加算した離席モード終了時刻と、前記記録媒体から読み取った前記記録媒体固有の識別情報とを関連付けて記憶し、
前記リーダライタに対して、前記離席モード情報と、前記離席モード開始時刻又は前記離席モード終了時刻とを前記記録媒体に記録して排出することを指示する、
ことを特徴とする台間機。
【請求項３】
前記離席モード管理手段は、
自機が前記離席モードに移行しており、
前記計時した時間が前記離席終了時間以後である場合、又は現在時刻が前記離席モード終了時刻以後である場合には、前記離席モードを解除する、
ことを特徴とする請求項１又は２に記載の台間機。
【請求項４】
前記離席モード管理手段は、
当該台間機が前記離席モードに移行しておらず、
前記離席モード情報が記録されている記録媒体が前記リーダライタに挿入された場合において、
現在時刻が、前記離席モード終了時刻以降である場合には、当該記録媒体を受入れて使用可能とするものであり、
現在時刻が、前記離席モード終了時刻より前である場合には、当該記録媒体の使用を禁止して返却する、
ことを特徴とする請求項１乃至３のいずれか１項に記載の台間機。
【請求項５】
前記離席モード管理手段は、
自機が前記離席モードに移行しており、
前記離席モード情報が記録されている記録媒体が前記リーダライタに挿入された場合には、
前記記憶手段において当該離席モード情報と関連付けて記憶されている記録媒体固有の識別情報と、前記リーダライタに挿入された記録媒体固有の識別情報とを比較して、
比較結果が一致する場合には前記離席モードを解除し、
前記リーダライタに対して、前記離席モード情報の削除を指示し、
当該記録媒体を受入れて使用可能とするものであり、
前記比較結果が不一致である場合には、当該記録媒体の使用を禁止すると共に前記記録媒体を返却するものであり、
前記離席モード情報が記録されていない記録媒体が前記リーダライタに挿入された場合には、
当該記録媒体の使用を禁止すると共に前記記録媒体を返却する、
ことを特徴とする請求項１乃至４のいずれか１項に記載の台間機。
【請求項６】
情報を表示する表示手段を備え、
前記離席モード管理手段は、
当該台間機が前記離席モードに移行しておらず、
前記離席モード情報が記録されている記録媒体が前記リーダライタに挿入された場合において、
現在時刻が、前記離席モード終了時刻より前である場合には、前記離席モードの残り時間を前記表示手段に表示する指示を行う、
ことを特徴とする請求項１乃至５のいずれか１項に記載の台間機。
【請求項７】
前記記憶手段は、自機に併設される遊技機の台番号を前記離席モード情報と関連付けて記憶しており、
前記離席モード管理手段は、
前記指示取得手段から離席ボタンの操作情報を取得して自機を離席モードに移行すると、
前記リーダライタに対して、前記離席モード情報と前記離席モード開始時刻又は前記離席モード終了時刻と併せて前記台番号を前記記録媒体に記録して排出することを指示するものであり、
当該台間機が前記離席モードに移行しておらず、
前記離席モード情報が記録されている記録媒体が前記リーダライタに挿入された場合において、
現在時刻が、前記離席モード終了時刻より前である場合には、
前記記録媒体に記録されている前記台番号を取得して、
前記表示手段に、前記取得した前記台番号を表示する、
ことを特徴とする請求項６に記載の台間機。
【請求項８】
情報を表示する表示手段と、
上位管理装置と通信を行う通信手段と、
を備え、
前記離席モード管理手段は、
前記指示取得手段から離席ボタンの操作情報を取得して自機を離席モードに移行させると、
前記通信手段に対して、前記離席モード情報と、前記記録媒体から読み取った前記記録媒体固有の識別情報とを関連付けて前記上位管理装置に送信することを指示するものであり、
自機が前記離席モードに移行しており、
前記上位管理装置から、前記離席モードをリモート解除する指示を取得した場合には、前記離席モードを解除する、
ことを特徴とする請求項１乃至７のいずれか１項に記載の台間機。
【請求項９】
前記離席モード管理手段は、
当該台間機が前記離席モードに移行しておらず、
前記離席モード情報が記録されている記録媒体が前記リーダライタに挿入された場合において、
現在時刻が、前記離席モード終了時刻以降である場合には、当該記録媒体を受入れて使用可能とするものであり、
現在時刻が、前記離席モード終了時刻より前である場合には、
前記表示手段に、他の台間機の前記離席モードをリモート解除するか否かの判断を遊技者に乞う情報を表示し、
前記指示取得手段から、他の台間機の前記離席モードをリモート解除する指示を取得すると、当該他の台間機の離席モードをリモート解除する指示と前記リーダライタに挿入された記録媒体固有の識別情報とを前記通信手段を介して前記上位管理装置に送信して、前記リーダライタに挿入された記録媒体を受入れて使用可能とし、
前記指示取得手段から、他の台間機の前記離席モードをリモート解除しない指示を取得すると、当該記録媒体の使用を禁止して返却する、
ことを特徴とする請求項８に記載の台間機。
【発明の詳細な説明】
【技術分野】
【０００１】
本発明は、遊技ホールにおいて、遊技機に併設される台間機に関する。
【背景技術】
【０００２】
遊技ホールには、複数の遊技機が配設されており、該遊技機の側方位置には遊技機に対して１対１に対応して台間機が併設されている。遊技者がトイレ休憩、煙草休憩、食事休憩等により遊技台から一時的に離席する場合には、台間機に挿抜される記録媒体を鍵として用いることにより、所定の離席時間の間、遊技機を遊技禁止状態にして占有させる技術が知られている。
【０００３】
この技術に関する技術の一例として、特許文献１に開示されているカードユニットの技術を挙げる。
カードユニットに占有情報が記憶されていない状態でカードが挿入されると、カードから読み出した識別情報が占有情報としてカードユニットに記憶され（特許文献１の図１２のＳ１０９）、カードに使用禁止情報が書込まれる（同Ｓ１１１）。
その状態で休憩指示が入力されると（休憩ボタンが押されたことを示す信号がパチンコ機から入力されると）、カードが排出されるとともに、パチンコ機での遊技が禁止される（特許文献１の図１３のＳ１３１）。
その後、カードユニットに占有情報が記憶されている状態でカードが挿入された場合において、カードから読み出した識別情報がカードユニットに記憶されている占有情報と一致すれば、パチンコ機での遊技が許可される（特許文献１の図１２のＳ１２１）。
また、使用禁止情報が書込まれたカードを他のパチンコ機に挿入すると、カードは排出される（特許文献１の図１２のＳ１１５）。
【０００４】
また、他の技術として、特許文献２に開示されている技術を挙げる。
遊技者がＣＲユニットのタッチパネルの「休憩ボタン」を押下すると（特許文献２の図２７−２の４７４１）、休憩可能時間をセットし(特許文献２の図２８の４９０５)、「遊技機固有の識別情報」、「禁止情報」等を記録した離席カードを排出して(特許文献２の図２８の４９１１)、自機に休憩残り時間を表示する（特許文献２の図２５−２（ｅ）、図２８の４９１３）。
セットされた離席モードは、「休憩可能時間経過前」(特許文献２の図２７−１の４７１０)に離席カードを挿入(特許文献２の図２７−１の４７０９)すると自動で解除される。
また、離席モードは、「休憩可能時間経過」(特許文献２の図３１の５０２１)の後に「無効時間が経過」(特許文献２の図３２の５０４１)した場合にも自動で解除されるが、離席カードでの遊技継続はできない。
また、「禁止情報」が記録された離席カードは、他の遊技機では使用できない(特許文献２の図２７−１の４７１４)。
【０００５】
また、他の技術として、特許文献３に開示されている台間機の技術を挙げる。
台間機に対して店員が離席操作を行うことにより離席モードをセットして、（１）離席時間経過、（２）店員によるリモコン操作、又は（３）同一カードの受付（カードＩＤが一致）により離席モードを解除する発明が開示されている（特許文献３の図２８）。
また、管理コンピュータに対して台間機の離席状態を通知する構成が、特許文献３の実施例４に示されている（特許文献３の図４５）。
【先行技術文献】
【特許文献】
【０００６】
【特許文献１】特許第５９９８３２７号公報
【特許文献２】特許第５８０９８８６号公報
【特許文献３】特許第５７１９５０９号公報
【発明の概要】
【発明が解決しようとする課題】
【０００７】
しかし、特許文献１〜３に記載のものは、遊技者の指示により離席モードに移行した台間機において、離席が許容されている時刻が経過してから、当該台間機以外の他の台間機にカードを挿入しても、当該他の台間機に併設されている他の遊技機で遊技を行うことができなかった。当該他の遊技機で遊技を行うためには、ホールスタッフによるカード情報の操作（カードから使用禁止情報等を消去する作業等）が必要であり手間がかかった。また、当該他の台間機にカードを挿入した際に、離席モード終了時刻までの時間を表示することや、離席モードに移行した台間機に併設される遊技機の台番号等を表示すること、セットした離席モードを他の台間機からリモートで解除することができず遊技機の稼働率の低下を招く問題があった。
【０００８】
本発明はこのような事情の下になされたものであり、その目的は、遊技者の一時離席に関連する手続きを簡略化して、遊技者の利便性を向上する台間機を提供することにある。また、台間機の離席モードを自動解除又はリモート解除することにより、離席終了時間経過後等において遊技機の稼働率を低下させない台間機を提供することを目的とする。
【課題を解決するための手段】
【０００９】
上記課題を解決するために、本発明に係る台間機（１０、１０Ａ、１０Ｃ）は、遊技機（パチスロ機２Ａ、メダルレス遊技機２Ｂ、パチンコ機２Ｃ、封入式パチンコ機２Ｄ）に併設され、遊技中における遊技者の離席状態を管理することが可能な台間機であって、記録媒体（カード等）に記録されている情報の読取り及び情報の書込みを行うリーダライタ（カードリーダライタ４０）と、遊技者による指示を取得する指示取得手段（表示部５０等）と、遊技者の前記離席状態に関する管理を行う離席モード管理手段（情報処理部１０１）と、前記離席状態に関する情報及び離席終了時間を記憶する記憶手段（ＲＡＭ１０３）と、経過時間を計時する計時手段（情報処理部１０１）と、現在時刻を取得する現在時刻取得手段（ＲＴＣ１０５、ＣＰＵ１０２）と、を備え、前記離席モード管理手段は、前記指示取得手段から離席ボタン５２の操作情報を取得すると、自機を離席モードに移行させ、前記記憶手段に、自機が離席モードに移行したことを示す離席モード情報と、前記記録媒体から読み取った前記記録媒体固有の識別情報（カードＩＤ）とを関連付けて記憶し、前記計時手段による時間の計時を開始し、前記リーダライタに対して、前記離席モード情報と、前記離席モードに移行した離席モード開始時刻又は前記離席モード開始時刻に前記離席終了時間を加算した離席モード終了時刻とを前記記録媒体に記録して排出することを指示する、ことを特徴とする。
【００１０】
図４（ａ）の状態フロー図に示すように、台間機（自機）の離席モード管理手段は、離席ボタン５２の操作情報を取得する（ステップＳ１７０）と、自機を離席モードに移行させ（ステップＳ１７２）、記憶手段に、台間機が離席モードに移行したことを示す離席モード情報と、記録媒体（カード）に記録されている記録媒体固有の識別情報（カードＩＤ）とを関連付けて記憶し（ステップＳ１７４）、計時手段による時間の計時を開始し、リーダライタに対して、離席モード情報と離席モード開始時刻（離席モード終了時刻）とをカードに記録して（ステップＳ１８０）排出する（ステップＳ１８２）ことを指示する。
【００１１】
このように構成することによって、台間機（自機）において記録媒体に離席モード情報と離席モード開始時刻（離席モード終了時刻）を記録した場合において、台間機(他機)が記録媒体の読み取りを行った際に、台間機(他機)の処理のみで、上位管理装置に対する問い合わせをすることなく（例えばオフライン時であっても）、記録媒体が使用可能か否かの判断をすることが可能になる。このため、台間機(他機)で遊技を行うのにホールスタッフによる記録媒体の情報消去等の手続きを省略することができる。また、遊技ホールに設置されている遊技機の稼働率を向上させることができる。
【００１２】
また、本発明に係る台間機（１０、１０Ａ、１０Ｃ）は、遊技機（パチスロ機２Ａ、メダルレス遊技機２Ｂ、パチンコ機２Ｃ、封入式パチンコ機２Ｄ）に併設され、遊技中における遊技者の離席状態を管理することが可能な台間機であって、記録媒体（カード）に記録されている情報の読取り及び情報の書込みを行うリーダライタ（カードリーダライタ４０）と、遊技者による指示を取得する指示取得手段（表示部５０等）と、遊技者の前記離席状態に関する管理を行う離席モード管理手段（情報処理部１０１）と、前記離席状態に関する情報及び離席終了時間を記憶する記憶手段（ＲＡＭ１０３）と、現在時刻を取得する現在時刻取得手段（ＲＴＣ１０５、ＣＰＵ１０２）と、を備え、前記離席モード管理手段は、前記指示取得手段から離席ボタン５２の操作情報を取得すると、自機を離席モードに移行させ、前記記憶手段に、自機が離席モードに移行したことを示す離席モード情報と、前記離席モードに移行した離席モード開始時刻又は前記離席モード開始時刻に前記離席終了時間を加算した離席モード終了時刻と、前記記録媒体から読み取った前記記録媒体固有の識別情報（カードＩＤ）とを関連付けて記憶し、前記リーダライタに対して、前記離席モード情報と、前記離席モード開始時刻又は前記離席モード終了時刻とを前記記録媒体に記録して排出することを指示する、ことを特徴とする。
【００１３】
図４（ａ）の状態フロー図に示すように、台間機（自機）の離席モード管理手段は、離席ボタン５２の操作情報を取得する（ステップＳ１７０）と、自機を離席モードに移行させ（ステップＳ１７２）、記憶手段に、台間機が離席モードに移行したことを示す離席モード情報と、離席モード開始時刻（離席モード終了時刻）と、記録媒体（カード）に記録されている記録媒体固有の識別情報（カードＩＤ）とを関連付けて記憶し（ステップＳ１７４）、リーダライタに対して、離席モード情報と離席モード開始時刻（離席モード終了時刻）とをカードに記録して（ステップＳ１８０）排出する（ステップＳ１８２）ことを指示する。
【００１４】
このように、台間機（自機）において記録媒体に離席モード情報と離席モード開始時刻（離席モード終了時刻）を記録することによって、台間機(他機)が記録媒体の読み取りを行った際に、台間機(他機)の処理のみで、上位管理装置に対する問い合わせをすることなく（例えばオフライン時であっても）、記録媒体が使用可能か否かの判断をすることが可能になる。このため、台間機(他機)で遊技を行うのにホールスタッフによる記録媒体の情報消去等の手続きを省略することができる。また、遊技ホールに設置されている遊技機の稼働率を向上させることができる。
【００１５】
この場合、前記離席モード管理手段は、自機が前記離席モードに移行しており、前記計時した経過時間が前記離席終了時間以後である場合、又は現在時刻が前記離席モード終了時刻以後である場合には、前記離席モードを解除する方が好ましい。
【００１６】
図４（ｃ）の状態フロー図に示すように、台間機（自機）の離席モード管理手段は、自機が離席モードに移行しており、計時した時間が、離席終了時間（離席時間＋離席超過時間）以後である場合（ステップＳ１０７）、又は、現在時刻が離席モード終了時刻（離席モード開始時刻＋離席時間＋離席超過時間）以後である場合には（ステップＳ１０７）、離席モードを解除する（ステップＳ１１０）。
【００１７】
このように構成することによって、離席モードに移行して使用禁止となっていた台間機を離席終了時間（時刻）経過で即座に自動解除して他の遊技者に開放することができる。このため、一人の遊技者による複数台の遊技機の確保を制止することができ、遊技ホールに設置されている遊技機の稼働率を向上させることができる。
【００１８】
この場合、前記離席モード管理手段は、当該台間機が前記離席モードに移行しておらず、前記離席モード情報が記録されている記録媒体（離席カード）が前記リーダライタに挿入された場合において、現在時刻が、前記離席モード終了時刻以降である場合には、当該記録媒体を受入れて使用可能とするものであり、現在時刻が、前記離席モード終了時刻より前である場合には、当該記録媒体の使用を禁止して返却する方が好ましい。
【００１９】
図５（ｅ）の状態フロー図に示すように、台間機(他機)の離席モード管理手段は、台間機(他機)が離席モードに移行しておらず、離席モード情報が記録されているカード（離席カード）がリーダライタに挿入された場合において（ステップＳ２０４）、現在時刻が、離席モード終了時刻以降である場合には（ステップＳ２１０）、当該離席カードを受入れて使用可能とする（ステップＳ２４０）。
【００２０】
このように構成することによって、離席モードに移行していた台間機（自機）において離席モード終了時刻が経過したこと等によって離席モードを自動で解除するとともに、離席カードを用いて他の台間機（他機）での遊技が可能となる。従って、遊技者が台間機(他機)を利用して遊技を行う際にホールスタッフによる記録媒体の情報消去等の手続きを省略することができ、遊技者の利便性を向上することができる。また、一人の遊技者による複数台の遊技機の確保を制止することができ、遊技ホールに設置されている遊技機の稼働率を向上させることができる。
【００２１】
また、図５（ｄ）の状態フロー図に示すように、台間機(他機)の離席モード管理手段は、台間機(他機)が離席モードに移行しておらず、離席カードがリーダライタに挿入された場合において（ステップＳ２０４）、現在時刻が、離席モード終了時刻より前である場合には（ステップＳ２１０）、当該離席カードの使用を禁止して返却する（ステップＳ２１６）。
【００２２】
このように構成することによって、一人の遊技者による複数台の確保を制止することができ、遊技ホールの稼働率の向上させることができる。
【００２３】
この場合、前記離席モード管理手段は、自機が前記離席モードに移行しており、前記離席モード情報が記録されている記録媒体が前記リーダライタに挿入された場合には、前記記憶手段において当該離席モード情報と関連付けて記憶されている記録媒体固有の識別情報と、前記リーダライタに挿入された記録媒体固有の識別情報とを比較して、比較結果が一致する場合には前記離席モードを解除し、前記リーダライタに対して、前記離席モード情報の削除を指示し、当該記録媒体を受入れて使用可能とするものであり、前記比較結果が不一致である場合には、当該記録媒体の使用を禁止すると共に前記記録媒体を返却するものであり、前記離席モード情報が記録されていない記録媒体が前記リーダライタに挿入された場合には、当該記録媒体の使用を禁止すると共に前記記録媒体を返却する方が好ましい。
【００２４】
図６（ｇ）の状態フロー図に示すように、台間機（自機）が離席モードに移行しており、離席カードがリーダライタに挿入された場合には（ステップＳ１３０）、記憶手段において離席モード情報と関連付けて記憶されているカードＩＤと、リーダライタに挿入されたカードＩＤとを比較して、比較結果が一致する場合（ステップＳ１３４）には離席モードを解除し（ステップＳ１１０）、リーダライタに対して、離席モード情報の削除を指示し（ステップＳ１１４）、当該離席カードを受入れて使用可能とする。
【００２５】
また、図６（ｆ）の状態フロー図に示すように、台間機（自機）が離席モードに移行しており、離席モード情報が記録されていないカード（非離席カード）がリーダライタに挿入された場合には（ステップＳ１３０）、当該非離席カードの使用を禁止すると共に当該非離席カードを返却する（ステップＳ１３８）。
【００２６】
このように構成することによって、離席モード時に、他のカードを使用禁止にすることにより、離席モードを設定した遊技者以外の使用を禁止することができる。また、離席カードの挿入による台間機（自機）の離席モードの自動解除をすることができるので、ホールスタッフによる確認・解除の手間が不要となり、遊技者の利便性を向上することができる。
【００２７】
この場合、情報を表示する表示手段（表示部５０）を備え、前記離席モード管理手段は、当該台間機が前記離席モードに移行しておらず、前記離席モード情報が記録されている記録媒体が前記リーダライタに挿入された場合において、現在時刻が、前記離席モード終了時刻より前である場合には、前記離席モードの残り時間を前記表示手段に表示する指示を行う方がよい。
【００２８】
図５（ｄ）の状態フロー図に示すように、台間機(他機)の離席モード管理手段は、台間機(他機)が離席モードに移行しておらず、離席カードがリーダライタに挿入された場合において（ステップＳ２０４）、現在時刻が、離席モード終了時刻より前である場合には（ステップＳ２１０）、離席モードの残り時間を表示部に表示する（ステップＳ２１２）。
【００２９】
このように構成することによって、台間機(他機)にて離席モードの残り時間を表示することができるので、離席モードを設定した台間機（自機）まで戻らなくても台間機(他機)にて離席残り時間を確認できるので、遊技者の利便性を向上することができる。
【００３０】
この場合、前記記憶手段は、自機に併設される遊技機の台番号を前記離席モード情報と関連付けて記憶しており、前記離席モード管理手段は、前記指示取得手段から離席ボタンの操作情報を取得して自機を離席モードに移行すると、前記リーダライタに対して、前記離席モード情報と前記離席モード開始時刻又は前記離席モード終了時刻と併せて前記台番号を前記記録媒体に記録して排出することを指示するものであり、当該台間機が前記離席モードに移行しておらず、前記離席モード情報が記録されている記録媒体が前記リーダライタに挿入された場合において、現在時刻が、前記離席モード終了時刻より前である場合には、前記記録媒体に記録されている前記台番号を取得して、前記表示手段に、前記取得した前記台番号を表示するほうが良い。
【００３１】
図４（ａ）の状態フロー図に示すように、記憶手段は、台間機（自機）に併設される遊技機の台番号を離席モード情報と関連付けて記憶しており、離席モード管理手段は、指示取得手段から離席ボタン５２の操作情報を取得して（ステップＳ１７０）台間機（自機）を離席モードに移行すると（ステップＳ１７２）、リーダライタに対して、離席モード情報と離席モード開始時刻と併せて台番号をカードに記録して（ステップＳ１８０）排出する（ステップＳ１８２）。次いで、図５（ｄ）の状態フロー図に示すように、台間機（他機）の離席モード管理手段は、台間機（他機）が離席モードに移行しておらず、離席カードがリーダライタに挿入された場合において（ステップＳ２０４）、現在時刻が、離席モード終了時刻より前である場合には、離席カードに記録されている台番号を取得して、表示手段に、取得した台番号を表示する（ステップＳ２１２）。
【００３２】
このように構成することによって、台間機（他機）にて台間機（自機）の台番号を表示することができるので、離席モードを設定した台間機（自機）まで戻らなくても台間機(他機)にて遊技を行っていた台間機（自機）の台番号を確認できるので、遊技者の利便性を向上することができる。
【００３３】
この場合、情報を表示する表示手段と、上位管理装置（持玉・プリペイドサーバ２００）と通信を行う通信手段（通信Ｉ／Ｆ１１０）と、を備え、前記離席モード管理手段は、前記指示取得手段から離席ボタン５２の操作情報を取得して自機を離席モードに移行させると、前記通信手段に対して、前記離席モード情報と、前記記録媒体から読み取った前記記録媒体固有の識別情報とを関連付けて前記上位管理装置に送信することを指示するものであり、自機が前記離席モードに移行しており、前記上位管理装置から、前記離席モードをリモート解除する指示を取得した場合には、前記離席モードを解除する方がよい。
【００３４】
図４（ａ）の状態フロー図に示すように、台間機(自機)の離席モード管理手段は、離席モードに移行させると（ステップＳ１７２）、離席モード情報と、カードＩＤとを関連付けて上位管理装置に送信する（ステップＳ１７８）。また、図７（ｈ）の状態フロー図に示すように、上位管理装置から、離席モードをリモート解除する指示を取得した場合には（ステップＳ１４２）、離席モードを解除する（ステップＳ１１０）。
【００３５】
このように構成することによって、上位管理装置が、離席モード情報等を管理することができるので、上位管理装置において離席モードの履歴確認ができ、離席モード運用状況の把握、自動解除した際のトラブルを抑制することができる。また、上位管理装置からの指示で台間機の離席モードをリモート解除することができるので、遊技者の利便性を向上することができると共に、遊技ホールに設置されている遊技機の稼働率を向上させることができる。
【００３６】
この場合、前記離席モード管理手段は、当該台間機が前記離席モードに移行しておらず、前記離席モード情報が記録されている記録媒体が前記リーダライタに挿入された場合において、現在時刻が、前記離席モード終了時刻以降である場合には、当該記録媒体を受入れて使用可能とするものであり、現在時刻が、前記離席モード終了時刻より前である場合には、前記表示手段に、他の台間機の前記離席モードをリモート解除するか否かの判断を遊技者に乞う情報を表示し、前記指示取得手段から、他の台間機の前記離席モードをリモート解除する指示を取得すると、当該他の台間機の離席モードをリモート解除する指示と前記リーダライタに挿入された記録媒体固有の識別情報とを前記通信手段を介して前記上位管理装置に送信して、前記リーダライタに挿入された記録媒体を受入れて使用可能とし、前記指示取得手段から、他の台間機の前記離席モードをリモート解除しない指示を取得すると、当該記録媒体の使用を禁止して返却するほうが良い。
【００３７】
図７（ｈ）の状態フロー図に示すように、台間機（他機）が離席モードに移行しておらず、離席カードがリーダライタに挿入された場合において（ステップＳ２０４）、現在時刻が、離席モード終了時刻より前である場合には、表示手段に、台間機（自機）の離席モードをリモート解除するか否かの判断を遊技者に乞う情報を表示し（ステップＳ２２２）、操作ボタンから、台間機（自機）の離席モードをリモート解除する指示を取得すると（ステップＳ２２４）、リモート解除指示とカードＩＤとを通信手段を介して上位管理装置に送信して（ステップＳ２２８）、当該離席カードを受入れて使用可能とし（ステップＳ２４０）、操作ボタンから、台間機（自機）の離席モードをリモート解除しない指示を取得すると、当該離席カードの使用を禁止して返却する。
【００３８】
このように構成することによって、台間機（他機）で離席カードを使用した場合に、離席モードとなっていた台間機（自機）の離席モードを遊技者の判断でリモート解除することができるので、遊技ホールに設置されている遊技機の稼働率を向上させることができる。また、台間機（他機）を使用するのにホールスタッフによる離席カードの情報消去等の手続きを省略することができるので、遊技者の利便性を向上することができる。
【００３９】
この場合、遊技機に併設される台間機の離席状態の履歴を管理する上位管理装置であって、前記台間機から、当該台間機固有の識別情報及び離席モードに移行したことを表す離席モード情報と関連付けて、当該離席モード情報を記録する記録媒体固有の識別情報、若しくは前記台間機に併設される遊技機の台番号を取得すると、前記当該台間機固有の識別情報及び前記離席モード情報と関連付けて、前記記録媒体固有の識別情報、若しくは前記台番号を離席情報に記憶し、他の台間機から、離席モードをリモート解除する指示と関連付けて、前記他の台間機に挿入された記録媒体固有の識別情報、前記他の台間機に挿入された記録媒体に記録されている台番号、若しくは前記台間機固有の識別情報を取得すると、前記離席情報を参照して、前記離席情報に記憶されている前記記録媒体固有の識別情報、前記台番号、若しくは台間機の固有の識別情報を有する台間機に対して、前記離席モードをリモート解除する指示を送信する方が良い。
【００４０】
このように構成することによって、台間機（他機）で離席カードを使用した場合に、遊技者の判断で離席モードとなっていた台間機（自機）の離席モードをリモート解除することができるので、遊技ホールに設置されている遊技機の稼働率を向上させることができる。また、台間機（他機）を使用するのにホールスタッフによる離席カードの情報消去等の手続きを省略することができるので、遊技者の利便性を向上することができる。
【発明の効果】
【００４１】
本発明の台間機によれば、遊技者の一時離席に関連する手続きを簡略化して、遊技者の利便性を向上することができる。また、離席終了時間経過後等において遊技機の稼働率を低下させない台間機を提供することができる。
【図面の簡単な説明】
【００４２】
【図１】第１実施形態に係る台間機の概略斜視図である。
【図２】第１実施形態に係る台間機におけるハードウェアの概略構成を示すブロック図である。
【図３】第１実施形態に係る遊技機及び台間機の正面図である。
【図４】本発明の台間機が関連する処理を示す状態フロー図である。
【図５】本発明の台間機が関連する処理を示す状態フロー図である。
【図６】本発明の台間機が関連する処理を示す状態フロー図である。
【図７】本発明の台間機が関連する処理を示す状態フロー図である。
【図８】第１実施形態に係る台間機のメイン処理を示すフローチャートである。
【図９】第１実施形態に係る台間機の自機離席処理を示すフローチャートである。
【図１０】台間機のカード受入処理を示すフローチャートである。
【図１１】台間機の表示部に表示される画面を例示する図である。
【図１２】持玉・プリペイドサーバに蓄積される離席情報の一例を示す図である。
【図１３】第２実施形態に係る台間機の概略斜視図である。
【図１４】第２実施形態に係る台間機におけるハードウェアの概略構成を示すブロック図である。
【図１５】第２実施形態に係る遊技機及び台間機の正面図である。
【図１６】第２実施形態に係る台間機のメイン処理を示すフローチャートである。
【図１７】第２実施形態に係る台間機の自機離席処理を示すフローチャートである。
【発明を実施するための形態】
【００４３】
＜第１実施形態＞
第１実施形態の説明では、遊技媒体のメダルを取り扱う台間機１０、及び玉を取り扱う台間機１０Ｃについて説明を行う。なお、これら遊技媒体を取り扱わないメダルレス遊技機２Ｂや、封入式パチンコ機２Ｄに併設される台間機１０Ａについては、後段の第２実施形態にて第１実施形態との相違点についてのみ説明する。
【００４４】
また、第１実施形態の説明では、「経過時間」を計時手段により計時する実施形態、及び「経過時間」を現在時刻（ＲＴＣ１０５から取得又は上位管理装置からＣＰＵ１０２が取得した処理時刻）を用いて算出する実施形態と、カードに「離席モード開始時刻」を記録する実施形態、及びカードに「離席モード終了時刻」を記録する実施形態について説明し、それぞれの実施形態において処理が相違する部分についてはそれぞれ場合を分けて説明する。
【００４５】
以下、第１実施形態に係る台間機１０について、図面を参照して説明する。図３（ａ）には、遊技機２の一形態であるパチスロ機２Ａと台間機１０の正面図が示されている。図３（ｂ）には、遊技機２の一形態であるパチンコ機２Ｃと台間機１０Ｃの正面図が示されている。遊技ホールにおいては、複数の遊技機２が配設され、当該遊技機２の側方位置には遊技機２に対して１対１に対応して台間機１０、１０Ｃが併設されている。第１実施形態に係る台間機１０、１０Ｃは、パチスロ機２Ａ、パチンコ機２Ｃに使用する遊技媒体を供給する。
【００４６】
〔台間機１０、１０Ｃの説明〕
図１〜３を参照して、台間機１０、１０Ｃについて説明する。図１には、パチスロ機２Ａ用の台間機１０の概略斜視図が示されている。図２には、台間機１０、１０Ｃにおけるハードウェアの概略構成を示すブロック図が示されている。図３（ａ）には、パチスロ機２Ａと台間機１０の正面図が示されている。図３（ｂ）には、パチンコ機２Ｃと台間機１０Ｃの正面図が示されている。なお、パチスロ機２Ａ及びパチンコ機２Ｃは、遊技機２の一形態である。
【００４７】
台間機１０、１０Ｃは、貨幣の投入、又は、カードを挿入することで遊技媒体を供給し、パチスロ機２Ａ、パチンコ機２Ｃでの遊技を可能とする装置であって、制御部１００と、紙幣硬貨処理装置３０と、カードリーダライタ４０と、表示部５０と、表示ランプ６０と、操作ボタン５１と、リモコン送受光部８０と、カメラ７０と、払出装置９０と、計数装置９５と、ＥＥＰＲＯＭ（不図示）を備えている。
【００４８】
制御部１００は、情報処理部１０１、通信Ｉ／Ｆ１１０等から構成され、台間機１０、１０Ｃに搭載されている周辺機器の制御や、外部機器との間で通信を行う。
【００４９】
情報処理部１０１は、ＣＰＵ（中央情報処理装置）１０２、ＲＡＭ１０３、ＲＯＭ１０４、ＲＴＣ（ｒｅａｌ−ｔｉｍｅ  ｃｌｏｃｋ）１０５等から構成される。ＣＰＵ（中央情報処理装置）１０２は、台間機１０、１０Ｃに搭載されている周辺機器に対する各種の制御や処理をプログラムに基づいて行う。またＣＰＵ（中央情報処理装置）１０２は、遊技機２との間で情報の伝達を行うことができ、持玉・プリペイドサーバ２００等の上位管理装置から現在時刻（処理時刻）を取得することができる。遊技機２からは、貸出ボタンの操作情報、カード返却ボタンの操作情報、遊技価値のＩＮ・ＯＵＴ情報に加えて、遊技状態情報（ボーナス情報、アシストタイム情報、確変情報、時短情報等）を取得することもできる。遊技機２に対しては、貸出ボタンランプの点灯情報、貸出玉数に関する情報等を出力することができる。ＲＡＭ１０３は、制御プログラムの作動領域及びＣＰＵ１０２が実行するプログラムの一時的なデータ記憶領域となる。ＲＯＭ１０４には、制御プログラム等が格納・記憶されている。ＲＴＣ１０５は、台間機１０、１０Ｃの電源を切っても現在時刻を刻み続けることが可能な専用の素子である。ＥＥＰＲＯＭは、離席時間（例：１０分）、離席超過時間（例：１５分）、離席終了時間（例：２５分）、離席モード自動解除等の設定や、オフライン情報等を、電源が遮断された後においてもバックアップ記憶し続けることができる。
【００５０】
通信Ｉ／Ｆ１１０は、上位の装置（中継基板(図示せず)、持玉・プリペイドサーバ２００、貯玉サーバ１１５等）と各種情報の送受信を行うポートである。通信Ｉ／Ｆ１１０にて送受信する情報は、例えば紙幣硬貨処理装置３０に挿入又は投入された通貨の通貨価値情報、カードリーダライタ４０が読み取ったカード情報、カードに書き込む書込情報、遊技機２に出力した各種情報、遊技機２から取得した各種情報、遊技状態情報、会員情報、持玉情報、貸出情報、計数情報、カメラ７０が撮影した画像情報、当該台間機１０、１０Ｃに対して利用者が行った操作情報、当該台間機１０、１０Ｃにおけるステータス情報、離席モード情報、現在時刻（処理時刻）、その他の情報が含まれる。
【００５１】
紙幣硬貨処理装置３０は、利用者により挿入された紙幣や硬貨等の通貨を識別すると共に、通貨価値や当該紙幣硬貨処理装置３０におけるステータス情報を出力する。
【００５２】
カードリーダライタ４０は、利用者により挿入されたカード（又は利用者により翳されたカード、携帯電話等の記録媒体）の識別情報や遊技価値、通貨価値等の情報を読み取って情報処理部１０１に出力する。また、カードリーダライタ４０は、当該カードリーダライタ４０におけるステータス情報を情報処理部１０１に出力する。また、カードリーダライタ４０は、情報処理部１０１の指令に基づいて、各種情報をカードに書き込む処理を行う。カードリーダライタ４０内に一般カード（詳細は後述する。）のストック部を設けることによって、一般カードの発行や回収を行うこともできる。
【００５３】
表示部５０は、紙幣が挿入されている状況や硬貨が投入されている状況、挿入又は投入された通貨価値、カードの読み取り状況、カードの種別、カードに記録されている情報、会員情報、持玉情報、持玉共有に関する情報、貯玉情報、貯玉乗入れに関する情報、遊技機２にて使用可能な遊技価値に関する情報、遊技機２から取得した遊技価値に関する情報、次に利用者が行う操作に関する情報の表示、当該台間機１０、１０Ｃの状態、通信状況、エラー情報、メンテナンス情報、広告、案内、離席に関する情報等を表示する。
【００５４】
また表示部５０はタッチパネルの機能を有しており、表示部５０に表示されているボタンの範囲を利用者が押すことによって、ソフトキーの操作が可能となっている。表示部５０に表示されるボタンは、例えば遊技価値の貸出ボタン、カード返却ボタン、会員カード等の暗証番号入力ボタン、取消ボタン、決定ボタン、カーソルキー、表示切替ボタン、持玉の共有ボタン、貯玉乗入れに関する操作ボタン、メンテナンス用のカード回収ボタン、情報表示ボタン、離席モードに関するボタン、リセットボタン、当該台間機１０、１０Ｃに挿入された離席カードを使用する／使用しないボタン等である。
【００５５】
払出装置９０は、操作ボタン５１（貸出ボタン、払出ボタン）の操作情報に基づいて、所定量の遊技媒体を払出通路９１から遊技機２に向けて排出する。
【００５６】
計数装置９５は、投入通路９６に投入されたメダルの数量を計数する。
【００５７】
カメラ７０は、表示部５０の表示面側に配置してある。カメラ７０を表示面側に配置することにより、表示方向と撮影方向とを一致させることができるので、利用者の顔を撮影した映像を取得し易くなる。
また、表示部５０のタッチパネルの操作時に撮影を行うことによって、利用者がカメラ７０に近づいた状態での撮影が可能になるので、撮影した利用者の識別が容易となる。
カメラ７０による撮影は、定期的に行うこともできるし、現金挿入時やカード挿入時、カード返却時、エラー検出時、不正検出時、貸出ボタン操作時、離席ボタン５２操作時等のイベント発生時の撮影画像を用いて、利用者の認証や利用者の交代を判断することもできる。
また、定期的に撮影画像を一時保存しておき、イベント発生時の直前（２秒前など）に一時保存した撮影画像とイベントとを関連付けて保存する構成を用いることもできる。
カメラ７０による撮影画像は、台間機１０、１０Ｃの情報処理部１０１が読み取ってその後の処理を行っても良いし、上位のカメラサーバ１２２が撮影画像を管理する構成を用いることもできる。
【００５８】
また、情報処理部１０１は、利用者が操作する操作ボタン５１の押下状況や、スイッチ等の接点状況を読み取ることができる。また、情報処理部１０１は、表示ランプ６０等の点灯や、音の発生を制御する。また、情報処理部１０１は、呼出ボタン・ホールコンピュータ１１７、外部表示器１１９に表示情報を出力したり、外部の紙幣硬貨搬送装置３０との間で紙幣、硬貨の搬送に関する情報の入出力を行うことができる。
【００５９】
リモコン送受光部８０は、ホールスタッフが所持するリモコン１２１から送信される信号を受信して、情報処理部１０１に信号を出力する。
【００６０】
〔台間機１０、１０Ｃの操作に関する概略説明〕
利用者が遊技機２を用いて遊技を行う場合には、例えば紙幣を紙幣硬貨処理装置３０に挿入する。台間機１０、１０Ｃの情報処理部１０１は、通貨価値及び残高情報をカードに移行させると共に、通貨価値及び残高情報を台間機１０、１０ＣのＲＡＭ１０３に記憶させて表示等に用いる。また利用者により、残高情報が記録されているカードが台間機１０、１０Ｃに挿入された場合には、カードと関連付けられている残高情報を台間機１０、１０ＣのＲＡＭ１０３に記憶させて表示に用いる。
パチスロ機２Ａ用の台間機１０の場合には、利用者により操作ボタン５１（貸出ボタン）が操作されると、遊技媒体を払出通路９１から遊技機２に向けて排出することができる。
パチンコ機２Ｃ用の台間機１０Ｃの場合には、利用者によりパチンコ機２Ｃに設けられている貸出ボタン２１が操作されると、台間機１０Ｃは通貨価値を遊技価値に変換した遊技価値情報を生成してパチンコ機２Ｃに出力することができる。パチンコ機２Ｃでは、台間機１０Ｃから取得した遊技価値情報に基づいて遊技媒体を貸し出すことができる。なお、所定の貸出し玉数に満たない端数玉は、台間機１０Ｃの払出通路９１からパチンコ機２Ｃに向けて排出する。
【００６１】
また利用者により、持玉情報又は貯玉情報が関連付けられているカードが台間機１０、１０Ｃに挿入された場合や、利用者が計数装置９５を用いて持玉の計数を行った場合には、当該持玉や貯玉を払い出して再遊技を行うことができる。
パチスロ機２Ａ用の台間機１０の場合には、利用者により操作ボタン５１（払出ボタン）が操作されると、所定数量の持玉や貯玉を遊技媒体の払出通路９１から遊技機２に向けて排出することができる。
パチンコ機２Ｃ用の台間機１０Ｃの場合には、利用者により台間機１０Ｃの操作ボタン５１（払出ボタン）が操作されると、台間機１０Ｃは持玉や貯玉を遊技価値に変換した遊技価値情報を生成してパチンコ機２Ｃに出力することができる。パチンコ機２Ｃでは、台間機１０Ｃから取得した遊技価値情報に基づいて遊技媒体を払い出すことができる。なお、所定の払出し玉数に満たない端数玉は、台間機１０Ｃの払出通路９１からパチンコ機２Ｃに向けて排出される。
【００６２】
遊技が終了した場合には、利用者はカードの排出を指示する。
例えば利用者がパチスロ機２Ａを用いて遊技を行っていた場合には、利用者は台間機１０に設けられている操作ボタン５１（カード返却ボタン）を押す。すると、残高情報が記録されている会員カード又は、残高情報、持玉情報が記録されている一般カードが台間機１０から排出される。
また、利用者がパチンコ機２Ｃを用いて遊技を行っていた場合には、利用者はパチンコ機２Ｃに設けられているカード返却ボタン２２を押す。すると、残高情報が記録されている会員カード又は、残高情報、持玉情報が記録されている一般カードが台間機１０Ｃから排出される。
【００６３】
本発明に係る台間機１０、１０Ｃでは、上記の機能に加えて、遊技者等が表示部５０に表示される離席ボタン５２を操作することによって、当該台間機１０、１０Ｃを離席モードに移行させて離席カード（離席モード情報が記録された会員カード又は一般カード）を排出することができる。離席モードとは、台間機１０、１０Ｃに設定されるモードの一種であり、入金操作や払出操作、貸出操作を禁止する状態に移行して、他人による台間機１０、１０Ｃの使用を制限することにより、当該台間機１０、１０Ｃに併設されている遊技機２の使用を制限する状態である。この離席モードは、当該台間機１０、１０Ｃから排出された離席カードを当該台間機１０、１０Ｃのカードリーダライタ４０に再挿入すると自動で解除されるので、遊技者による簡単な操作のみで、安心して離席や休憩を行うことができる。また、所定の離席終了時間が経過した場合にも、離席モードが自動で解除されるので、遊技機２の稼働率を低下させないようにすることができるとともに、遊技者は容易に台移動を行えるようになる。
【００６４】
〔離席終了時間の説明〕
離席終了時間（例：２５分）とは、遊技者の離席が許可されている時間であって、台間機１０、１０Ｃが上述の離席モードに移行している時間である。離席終了時間が経過すると、所定の条件下で離席モードを自動で解除することができる。第１〜２実施形態において、離席終了時間（例：２５分）は、離席時間（例：１０分）と離席超過時間（例：１５分）とを加算した時間である。
離席時間（例：１０分）とは、離席モード移行時から離席時間経過までの所定の間付与される時間であって、例えば設定により１分から１５分の時間が付与される。図１１（４）に示すように、離席画面には離席（プチ休憩）の残り時間が表示される。
離席超過時間（例：１５分）とは、離席時間経過後から離席超過時間経過までの所定の間に付加される超過時間であって、例えば設定により１分から∞分の時間が付与される。図１１（５）に示すように、離席画面には離席時間から超過した時間が表示される。
離席時間と離席超過時間は、ホールスタッフにより任意の時間が設定され、設定された時間はＥＥＰＲＯＭ及びＲＡＭ１０３に記憶されている。なお、第１〜２実施形態において、離席終了時間（例：２５分）は、離席時間（例：１０分）に離席超過時間（例：１５分）を付加したが、離席超過時間（例：１５分）を付加しない構成であってもよい。
【００６５】
〔離席モード終了時刻の説明〕
離席モード終了時刻とは、離席モードに移行時にＲＴＣ１０５から取得される離席モード開始時刻（持玉・プリペイドサーバ２００等の上位管理装置から取得される処理時刻を離席モード開始時刻として用いることもできる。）に、上述した離席終了時間（例：２５分）を加算した時刻のことである。第１〜２実施形態において、離席モード終了時刻は、離席モード開始時刻に離席終了時間（離席時間＋離席超過時間）を加算して算出された時刻である。
【００６６】
〔カードの説明〕
カードは、カードリーダライタ４０によりデータを読み書きされる記録媒体であって、会員カードと一般カードの二種類が存在する。会員カードは、会員を識別する磁気カード、ＩＣカード等の記録媒体であり、一般カードは、会員カードを使用せずに遊技をした遊技客を識別する当日用の磁気カード、ＩＣカード等の記録媒体をいう。会員カードと一般カード（特に指定しない場合は、カードと称する）には、通貨の残高（通貨価値）等の情報が読み書き可能に記憶されているほか、台間機１０、１０Ｃでは書込みできない領域に、固有の識別情報であるカードＩＤが記録されている。なお、持玉情報は持玉・プリペイドサーバ２００に、貯玉情報は貯玉サーバ１１５に、それぞれカードＩＤと関連付けて記憶されている。詳細は後述するが、離席カードとは、離席モード情報が記録されているカードのことをいう。
【００６７】
〔持玉・プリペイドサーバ２００の説明〕
図２のブロック図には、台間機１０、１０Ｃに接続される持玉・プリペイドサーバ２００が示されている。持玉・プリペイドサーバ２００は、台間機１０、１０Ｃが送信する情報に基づいて、遊技者のカードと、保有持玉数とを対応付けて管理するコンピュータであって、ＣＰＵ（中央情報処理装置）（図示せず）、ＲＯＭ（図示せず）、ＲＡＭ（図示せず）、通信Ｉ／Ｆ（図示せず）等から構成されている。持玉・プリペイドサーバ２００は、上記の処理のほか、台間機１０、１０Ｃが送信する離席に関する情報、例えば離席モード情報、カードＩＤ、台番号等を受信して管理する。
【００６８】
〔台間機１０、１０Ｃが実行する処理の説明〕
図８〜図１０は、台間機１０、１０Ｃが実行する処理を示すフローチャートである。図８は台間機１０、１０Ｃが実行するメイン処理（ステップＳ１０）を示し、図９、１０は図８のメイン処理（ステップＳ１０）を構成する自機離席処理（ステップＳ１００）及びカード受入処理（ステップＳ２００）の詳細について示している。台間機１０、１０Ｃが実行する処理は、ＲＯＭ１０４に記憶されている制御プログラムに基づいて、情報処理部１０１によって実行される。
【００６９】
〔メイン処理（ステップＳ１０）の説明〕
図８に示すメイン処理（ステップＳ１０）のフローについて説明する。
【００７０】
電源が投入されると、初期化処理（ステップＳ２０）が、実行される。初期化処理（ステップＳ２０）は、情報処理部１０１が、ＣＰＵ１０２と接続されている台間機１０、１０Ｃ内の各周辺機器（紙幣硬貨処理装置３０、カードリーダライタ４０、表示部５０、払出装置９０、計数装置９５、リモコン送受光部８０、カメラ７０等）に対して初期化処理を行う。次いで、台間機１０、１０Ｃに接続されている外部機器（持玉・プリペイドサーバ２００、貯玉サーバ１１５、呼出ボタン・ホールコンピュータ１１７、遊技機２、外部表示機１１９、紙幣搬送装置１２０、カメラサーバ１２２等）と情報の伝達を行う。この際、持玉・プリペイドサーバ２００は、情報処理部１０１に対し、台間機１０、１０Ｃに併設される遊技機２の台番号を送信することができる（この持玉・プリペイドサーバ２００による台番号の送信は、後段のＳ８００において実行するようにしても良い。）。台番号とは、各遊技機２に割り当てられた固有の番号であって遊技機２が設置される場所を特定する情報である。情報処理部１０１は、送信された台番号をＲＡＭ１０３及びＥＥＰＲＯＭに記憶する。
【００７１】
次いで、入出力処理（ステップＳ３０）に進む。入出力処理（ステップＳ３０）は、情報処理部１０１と接続されている台間機１０、１０Ｃ内の各周辺機器（表示部５０、払出装置９０、計数装置９５、リモコン送受光部８０、カメラ７０、表示ランプ６０等）に対する情報の出力処理と、各周辺機器から情報を入力する処理とを行う。また、台間機１０、１０Ｃに接続されている外部機器（呼出ボタン・ホールコンピュータ１１７、遊技機２、外部表示機１１９、紙幣搬送装置１２０、カメラサーバ１２２等）と情報の伝達を行って、情報の出力処理と、情報の入力処理とを行う。また、リモコン１２１から送信されてきた情報の入力処理を行う。
【００７２】
次いで、自機離席処理（ステップＳ１００）に進む。自機離席処理（ステップＳ１００）は、遊技者の操作による台間機１０、１０Ｃの離席モードへの移行処理や、離席モード中の台間機１０、１０Ｃに離席カードが挿入された際の離席モードの解除処理等を行う。自機離席処理（ステップＳ１００）についての詳細は後述する。
【００７３】
次いで、カード受入処理（ステップＳ２００）に進む。カード受入処理（ステップＳ２００）は、主に離席モード中ではない台間機１０、１０Ｃにカードが挿入された際の処理等を行う。カード受入処理（ステップＳ２００）についての詳細は後述する。
【００７４】
次いで、貸出処理（ステップＳ３００）に進む。貸出処理（ステップＳ３００）では、遊技者の操作ボタン５１（貸出ボタン、払出ボタン）の押下に基づいて遊技媒体の貸し出し処理及び払い出し処理を行う。
【００７５】
次いで、計数処理（ステップＳ４００）に進む。計数処理（ステップＳ４００）は、操作ボタン５１（計数ボタン）の押下、又は遊技媒体の投入操作に基づき、遊技媒体の計数を行って、その計数値を既に記憶されている持玉数に加算して記憶する処理である。
【００７６】
次いで、表示処理（ステップＳ５００）に進む。表示処理（ステップＳ５００）は、情報処理部１０１が表示部５０に対し情報の表示をさせる処理である。表示内容として、例えば、開店中・閉店中表示、メンテナンスモード表示、異常リセットボタン表示、一般カード回収ボタン表示、オフライン表示、貸出単価表示、入金可否情報、会員・一般カード挿入可否情報、離席の残り時間表示、離席の時間超過表示、他台確保中表示、離席ボタン５２の表示、計数ボタン表示、店員呼出ボタン表示、残金表示、持玉・持玉数表示、貯玉・貯玉数表示、持玉・持玉共有カード発行ボタン表示、残高返却ボタン表示、カード返却条件設定ボタン表示、貸出単価変更ボタン表示、最小貸出ボタン表示、指定量払出ボタン表示、持玉を使用したコーヒーサービス機能設定ボタン表示、会員認証条件選択ボタン表示、カード情報開示ボタン表示、持玉寄付ボタン表示等の表示である。
【００７７】
次いで、現金投入処理（ステップＳ６００）に進む。現金投入処理（ステップＳ６００）は、情報処理部１０１が実行する処理であり、入金情報の取得に基づき通貨価値への移行処理、エラー処理、入金情報に基づく紙幣搬送装置１２０への信号出力処理である。
【００７８】
次いで、カードＲ／Ｗ処理（ステップＳ７００）に進む。カードＲ／Ｗ処理（ステップＳ７００）では、カード挿入情報の取得に基づく、遊技価値の移行処理や、通貨価値への移行処理、エラー処理、カードに対する情報の書き込み処理、カード発行、返却処理を行う。
【００７９】
次いで、上位通信処理（ステップＳ８００）に進む。上位通信処理（ステップＳ８００）では、紙幣硬貨処理装置３０に挿入又は投入された通貨の通貨価値情報、カードリーダライタ４０が読み取ったカード情報、カードに書き込む書込情報、会員情報、持玉情報、貸出情報、計数情報、カメラ７０が撮影した画像情報、当該台間機１０、１０Ｃに対して利用者が行った操作情報、当該台間機１０、１０Ｃにおけるステータス情報、台番号、現在時刻（処理時刻）、その他の情報を、持玉・プリペイドサーバ２００との間で送受信する。
【００８０】
以降、情報処理部１０１は電源が切断されるまでステップＳ３０〜Ｓ８００の処理をくり返して実行する。
【００８１】
〔自機離席処理（ステップＳ１００）の説明〕
図９を参照して、図８に示した自機離席処理（ステップＳ１００）の詳細について説明する。自機離席処理（ステップＳ１００）は、遊技者の操作による台間機１０、１０Ｃの離席モードへの移行処理や、離席モード中の台間機１０、１０Ｃに離席カードが挿入された際の離席モードの解除処理等を行う。
【００８２】
ステップＳ１０２「離席モード中？」において情報処理部１０１は、離席モード中か否かを判断する。離席モードとは、台間機１０、１０Ｃに設定されるモードの一種であり、入金操作や払出操作、貸出操作を禁止する状態に移行して、他人による台間機１０、１０Ｃの使用を制限することにより、当該台間機１０、１０Ｃに併設されている遊技機２の使用を制限する状態である。情報処理部１０１は、台間機１０、１０ＣのＲＡＭ１０３に、離席モード情報が記憶されている状態か否かにより、離席モード中か否かを判断する。離席モード中である場合には（ステップＳ１０２でＹＥＳ）、表示部５０に図１１（４）の離席画面、又は（５）の離席超過画面の何れかが表示されている状態でステップＳ１０４に進み、そうでなければ（ステップＳ１０２でＮＯ）、表示部５０に図１１（１）の待受画面、（２）の待機画面、又は（３）のメニュー画面の何れかが表示されている状態でステップＳ１５２に進む。
【００８３】
ステップＳ１５２「現金or持玉or会員カード無し？」において情報処理部１０１は、残金、持玉、会員カードの何れもが存在しないか否かを判断する。情報処理部１０１は、ＲＡＭ１０３に記憶されている残金、持玉、会員カード有無のデータにより、残金、持玉、会員カードのいずれかが存在するか否かを判断することにより、残金、持玉、会員カードのいずれも存在しない場合には離席モードへの移行を許可しないことができるので、同一人物が複数台を確保することを禁止して、遊技ホールにおける遊技機２の稼働率の低下を防止することができる。残金、持玉、会員カードのいずれも存在しない場合には（ステップＳ１５２でＹＥＳ）、ステップＳ１５４に進み、そうでなければ（ステップＳ１５２でＮＯ）、ステップＳ１５６に進む。
【００８４】
ステップＳ１５４「待受画面表示」を処理が通過する際には、表示部５０には図１１（１）に示す待受画面が表示されている。次いで、メイン処理に戻る。
【００８５】
ステップＳ１５６「持玉のみ有且つ最小離席玉数設定有り？」において情報処理部１０１は、持玉のみ有りの場合に、最小離席玉数設定ありか否かを判断する。この処理を設けることによって、以下の行為を予防することができる。例えば、持玉が１玉のみであっても離席カードを排出させることで、台間機１０、１０Ｃを離席モードに移行させることができるとすると、複数台の遊技機２を一人で占有することが容易にできてしまう。そこで、最小離席玉数以上の持玉が存在する場合のみ台間機１０、１０Ｃを離席モードに移行することを許可すれば、遊技ホールにおける遊技機２の稼働率の低下を防止することができる。最小離席玉設定ありの場合には（ステップＳ１５６でＹＥＳ）、ステップＳ１５８に進み、そうでなければ（ステップＳ１５６でＮＯ）、ステップＳ１７０に進む。
【００８６】
ステップＳ１５８「最小離席玉数以下？」において情報処理部１０１は、持玉が最小離席玉数以下か否かを判断する。持玉が最小離席玉数以下である場合には（ステップＳ１５８でＹＥＳ）、ステップＳ１８６に進み、そうでなければ（ステップＳ１５８でＮＯ）、ステップＳ１７０に進む。
【００８７】
ステップＳ１７０「離席ボタン操作？」において情報処理部１０１は、遊技者が離席ボタン５２を操作したか否かを判断する。遊技者が表示部５０に表示された「プチ休憩」ボタン５２（図１１（３）参照）を押すと、表示部５０は、情報処理部１０１に対し、「プチ休憩」ボタンが押された情報を送信する。情報処理部１０１は、その情報の有無により、遊技者が離席ボタン５２を操作したか否かを判断する。遊技者が離席ボタン５２を操作した場合には（ステップＳ１７０でＹＥＳ）、ステップＳ１７２に進み、そうでなければ（ステップＳ１７０でＮＯ）、ステップＳ１８６に進む。
【００８８】
ステップＳ１７２「離席モードに移行」において情報処理部１０１は、台間機１０、１０Ｃを離席モードへ移行させ、入金操作や払出操作、貸出操作、計数動作を禁止し、他人による台間機１０、１０Ｃの使用を制限して、当該台間機１０、１０Ｃに併設されている遊技機２の使用を制限する。情報処理部１０１は、紙幣硬貨処理装置３０に対し入金が不可能な状態にセットし、操作ボタン５１（貸出ボタン、払出ボタン）が押された情報を無効化して、持玉を払い出す操作の無効化及び残金から遊技媒体を貸し出す操作の無効化をする。次いで、ステップＳ１７４に進む。
【００８９】
ステップＳ１７４「離席関連情報の記憶」において情報処理部１０１は、離席モードに移行していることを示す情報（離席モード情報）と、カードに記録されている固有の識別情報であるカードＩＤと、持玉・プリペイドサーバ２００から受信した台番号とを関連付けてＲＡＭ１０３に記憶する。なお、本発明において、情報処理部１０１が、台番号をＲＡＭ１０３に記憶することは必須ではなく、第２実施形態についても同様に必須ではない。次いで、ステップＳ１７６に進む。
【００９０】
（自機では計時手段を使用する実施形態の説明）
離席モードへ移行した時刻からの経過時間（変数）を、計時手段を用いて計時する構成を採用する場合には、離席モード開始時刻、又は離席モード終了時刻の記憶は必須では無いが、下記の実施形態に示す手法を用いて離席モード開始時刻に加えて離席モード終了時刻をＲＡＭ１０３に記憶する構成を採用することもできる。
【００９１】
（自機でもＲＴＣを使用し、離席モード開始時刻をカードに記録する実施形態の説明）
離席モードへ移行した時刻からの経過時間（変数）を、ＲＴＣ１０５等から取得した現在時刻を用いて算出する構成を採用する場合であって、離席モード開始時刻をカードに記録する場合には、ＲＴＣ１０５から現在時刻（ステップＳ１７４を実行した時刻）を取得して、この取得した現在時刻を離席モード開始時刻としてＲＡＭ１０３に記憶する。この取得した現在時刻は、離席モード開始時刻として、離席モード情報と共にカードに記録することができる。
【００９２】
（自機でもＲＴＣを使用し、離席モード終了時刻をカードに記録する実施形態の説明）
離席モードへ移行した時刻からの経過時間（変数）を、ＲＴＣ１０５等から取得した現在時刻を用いて算出する構成を採用する場合であって、離席モード終了時刻をカードに記録する場合には、ＲＴＣ１０５等から現在時刻（ステップＳ１７４を実行した時刻）を取得して、この取得した現在時刻を離席モード開始時刻としてＲＡＭ１０３に記憶すると共に、この現在時刻に離席終了時間（例：２５分）を加算した離席モード終了時刻をＲＡＭ１０３に記憶する。この離席モード終了時刻は、離席モード情報と共にカードに記録することができる。
【００９３】
ステップＳ１７６「離席時間セット」において情報処理部１０１は、離席時間をセットする。上述したように、離席時間（例：１０分）は、離席終了時間（例：２５分）の前半を構成する時間である。ステップＳ１７６の処理が終了すると、情報処理部１０１が実行する処理は、ステップＳ１７８に進む。
【００９４】
（自機では計時手段を使用する実施形態の説明）
離席モードへ移行した時刻からの経過時間（変数）を、計時手段を用いて計時する構成を採用する場合には、情報処理部１０１は、タイマによる経過時間（変数）の計時を開始すると共に、離席時間経過及び離席超過時間経過の判断を行う際の比較対象となる離席時間（例：１０分）をセットする。
【００９５】
（自機でもＲＴＣを使用する実施形態の説明）
離席モードへ移行した時刻からの経過時間（変数）を、ＲＴＣ１０５等から取得した現在時刻を用いて計算する構成を採用する場合には、情報処理部１０１は、離席時間経過及び離席超過時間経過の判断を行う際の比較対象となる離席時間（例：１０分）をセットする。なお、経過時間（変数）をＲＴＣ１０５等から取得した現在時刻を用いて算出する構成を採用する場合には、経過時間（変数）は、現在時刻から離席モード開始時刻を減算して算出する。
【００９６】
ステップＳ１７８「上位管理装置に離席モード移行通知」において情報処理部１０１は、離席モードに移行したことによる台間機１０、１０Ｃのモード変化を、持玉・プリペイドサーバ２００に送信する。情報処理部１０１は、持玉・プリペイドサーバ２００に対し、ＲＡＭ１０３に記憶された離席モード情報、カードＩＤ、及び台番号等を送信する。なお、図４（ａ）で示すように、持玉・プリペイドサーバ２００は、受信した離席モード情報、カードＩＤ、台番号等を処理時刻と共に記録すると共に、離席モード情報と処理時刻の応答を台間機１０、１０Ｃに送信する。図１２は、台間機１０、１０Ｃから持玉・プリペイドサーバ２００に対し送信され時系列に蓄積された離席情報の一例を示している。図１２中のＮо１、４、６、８については、ステップＳ１７８において、台間機１０、１０Ｃから持玉・プリペイドサーバ２００に送信された情報である。次いで、情報処理部１０１が実行する処理はステップＳ１８０に進む。
【００９７】
（離席モード開始時刻をカードに記録する実施形態の説明）
ステップＳ１８０「カードに情報を記録」において情報処理部１０１は、カードリーダライタ４０に対し、カードに、離席モード情報、離席モード開始時刻、及び台番号等を記録させるフラグをセットする（カードへの書き込みはカードＲ／Ｗ処理（ステップＳ７００）で行う。）。上述したように、離席モード開始時刻は、ステップＳ１７４を実行した時刻を用いることができる。また、Ｓ１７８において持玉・プリペイドサーバ２００が送信した応答に含まれる処理時刻を用いることもできる。カードリーダライタ４０により、離席モード情報が記録されたカードを、離席カードと呼ぶことにする。なお、第１実施形態において、台番号をカードに記憶するのは、他の台間機１０、１０Ｃの表示部５０に表示して遊技者に知らしめるために使用されるものであって、離席の判断に使用するものではない。したがって、本発明において、情報処理部１０１が、台番号をカードに記録することは必須ではない。後述する第２実施形態についても同様に必須ではない。次いで、情報処理部１０１が実行する処理は、ステップＳ１８２に進む。
【００９８】
（離席モード終了時刻をカードに記録する実施形態の説明）
ステップＳ１８０において離席モード終了時刻をカードに記録する場合には、上記の離席モード開始時刻に代えて、離席モード終了時刻をカードに記録させるフラグをセットする。
【００９９】
ステップＳ１８２「離席カード排出」において情報処理部１０１は、離席カードを排出するフラグをセットする（離席カードの排出はカードＲ／Ｗ処理（ステップＳ７００）で行う。）。次いで、ステップＳ１８４に進む。
【０１００】
ステップＳ１８４「離席画面表示」において情報処理部１０１は、離席時間（例：１０分）から経過時間（変数）を減算した時間を算出し、表示部５０に図１１（４）に示す離席画面と共に算出した時間を残り時間として表示させる。次いで、メイン処理に戻る。
【０１０１】
ステップＳ１８６「待機画面表示」を処理が通過する際には、表示部５０には図１１（１）に示す待機画面が表示されている。次いで、情報処理部１０１が実行する処理は、メイン処理に戻る。
【０１０２】
ステップＳ１０４「離席時間経過？」において情報処理部１０１は、経過時間（変数）が離席時間（例：１０分）を経過しているか否かを判断する。経過時間が離席時間を経過している場合には（ステップＳ１０４でＹＥＳ）、ステップＳ１０６に進み、そうでなければ（ステップＳ１０４でＮＯ）、表示部に図１１（４）の離席画面が表示されている状態でステップＳ１２０に進む。ステップＳ１２０にて情報処理部１０１は、離席時間（例：１０分）から経過時間（変数）を減算した時間を算出し、算出された時間を残り時間として図１１（４）の離席画面に表示させる。
【０１０３】
（自機では計時手段を使用して経過時間を計時する実施形態の説明）
離席モードへ移行した時刻からの経過時間（変数）を、計時手段を用いて計時する構成を採用する場合には、計時した経過時間（変数）が離席時間（例：１０分）を経過しているか否かを判断する。
【０１０４】
（自機でもＲＴＣを使用して経過時間を算出する実施形態の説明）
離席モードへ移行した時刻からの経過時間（変数）を、ＲＴＣ１０５等から取得した現在時刻を用いて算出する構成を採用する場合には、ＲＴＣ１０５等から現在時刻を取得して、この取得した現在時刻から離席モード開始時刻を減算して算出する。そして、この算出した経過時間（変数）が離席時間（例：１０分）を経過しているか否かを判断する。
【０１０５】
ステップＳ１０６「離席超過時間セット済？」において情報処理部１０１は、離席超過時間（例：１５分）がセット済みであるか否かを判断する。具体的には、情報処理部１０１は、後述するステップＳ１２２にて、既に離席超過時間（例：１５分）が経過時間（変数）の比較対象としてセットされているか否かを判断する。上述したように、離席超過時間（例：１５分）は、離席終了時間（例：２５分）の後半を構成する時間である。離席終了時間（例：２５分）を離席時間（例：１０分）と離席超過時間（例：１５分）に分ける理由は、所定時間経過後にすぐに離席モードが自動解除されてしまうと、自動解除後に遊技を開始した新たな利用者と、数分遅れて帰ってきた元の遊技者との間でトラブルになる可能性があるため、あらかじめ通知した離席時間（例：１０分）後に離席超過時間（例：１５分）を付加する構成にして遊技者に心理的な緩衝効果を与えるためである。離席超過時間がセット済みである場合には（ステップＳ１０６でＹＥＳ）、ステップＳ１０７に進み、そうでなければ（ステップＳ１０６でＮＯ）、ステップＳ１２２に進む。
【０１０６】
ステップＳ１０７「離席超過時間経過？」において情報処理部１０１は、経過時間（変数）が離席時間（例：１０分）及び離席超過時間（例：１５分）を経過しているか否かを判断する。離席超過時間を経過している場合には（ステップＳ１０７でＹＥＳ）、ステップＳ１０８に進み、そうでなければ（ステップＳ１０７でＮＯ）、ステップＳ１２６に進む。
【０１０７】
（自機では計時手段を使用して経過時間を計時する実施形態の説明）
離席モードへ移行した時刻からの経過時間（変数）を、計時手段を用いて計時する構成を採用する場合には、計時した経過時間（変数）が「離席時間＋離席超過時間」（離席終了時間）を経過しているか否かを判断する。
また、比較対象の離席超過時間に代えて離席モード終了時刻を用いる場合には、離席モード開始時刻に経過時間（変数）を加えた時刻（現在時刻に相当する）が、離席モード終了時刻（離席モード開始時刻＋離席時間＋離席超過時間）を経過しているか否かを判断する。
【０１０８】
（自機でもＲＴＣを使用して経過時間を算出する実施形態の説明）
離席モードへ移行した時刻からの経過時間（変数）を、ＲＴＣ１０５等から取得した現在時刻を用いて算出する構成を採用する場合には、ＲＴＣ１０５等から現在時刻を取得して、この取得した現在時刻から離席モード開始時刻を減算して経過時間（変数）を算出する。そして、この算出した経過時間（変数）が「離席時間＋離席超過時間」（離席終了時間）を経過しているか否かを判断する。
また、比較対象の離席超過時間に代えて離席モード終了時刻を用いる場合には、ＲＴＣ１０５等から現在時刻を取得して、この取得した現在時刻が離席モード終了時刻（離席モード開始時刻＋離席時間＋離席超過時間）を経過しているか否かを判断する。
【０１０９】
ステップＳ１０８「離席モード自動解除設定有？」において情報処理部１０１は、離席モード自動解除の設定があるか否かを判断する。離席モード自動解除の設定とは、離席終了時間（離席時間＋離席超過時間）が経過した場合には、自機の離席モードを自動解除する旨の設定である。離席モード自動解除の設定を設けることにより、ホールスタッフの手を煩わせることなく離席モードが自動で解除される。離席モード自動解除が設定されている場合には（ステップＳ１０８でＹＥＳ）、ステップＳ１１０に進み、そうでなければ（ステップＳ１０８でＮＯ）、ステップＳ１２６に進む。なお、自動で離席モードが解除されると、遊技機２を使用し始めた他の遊技者と、休憩から戻った元の遊技者との間で争いが発生する可能性があるので、毎回ホールスタッフの操作を経てから離席モードを解除することを希望する遊技ホールも存在する。従って本発明の実施形態では、離席モード自動解除を設けるか否かについて、遊技ホールによる選択が可能な構成を採用している。
【０１１０】
ステップＳ１１０「離席モード解除」において情報処理部１０１は、離席モードを解除する。具体的には、情報処理部１０１は、ＲＡＭ１０３に記憶されている離席モード情報、カードＩＤ等を削除する。次いで、ステップＳ１１２に進む。
【０１１１】
ステップＳ１１２「上位管理装置に離席モード解除を通知」において情報処理部１０１は、持玉・プリペイドサーバ２００に対し、離席モードが解除されたことを示す情報、カードＩＤ、台番号を送信する。なお、図４（ｃ）で示すように、持玉・プリペイドサーバ２００は、送信された離席モード情報、カードＩＤ、台番号を記録する。図１２は、台間機１０、１０Ｃから持玉・プリペイドサーバ２００に対し送信され時系列に蓄積された離席情報の一例を示している。図１２中のＮо３（ステップＳ１０８の処理による離席超過時間経過による自動解除）、Ｎо５（ステップＳ１３４の処理による離席カード挿入による解除）、Ｎо７（ステップＳ１４０の処理による強制解除）、Ｎо１０（ステップＳ１４２の処理によるリモート解除）は、ステップＳ１１２において、台間機１０、１０Ｃから持玉・プリペイドサーバ２００に送信された情報である。次いで、情報処理部１０１が実行する処理は、ステップＳ１１４に進む。
【０１１２】
ステップＳ１１４「カードの情報を削除」において情報処理部１０１は、カードリーダライタ４０に対し、離席カードに記録されている、離席モード情報、台番号、及び、離席モード開始時刻等の記録を削除するフラグをセットする（離席カードへの書き込みはカードＲ／Ｗ処理（ステップＳ７００）で行う。）。次いで、ステップＳ１１６「待機（待受）画面表示」に進み、表示部５０に図１１（１）の待受画面、又は（２）の待機画面の何れかを表示させた後、メイン処理に戻る。
【０１１３】
ステップＳ１２０「離席画面用の残り時間更新」において情報処理部１０１は、離席時間（例：１０分）から経過時間を減算した時間を算出して更新する。次いで、ステップＳ１３０に進む。なお、後のステップＳ５００の表示処理にて情報処理部１０１は、表示部５０に図１１（４）に示す離席画面を表示させると共に、算出した時間を残り時間として図１１（４）の離席画面に表示させる。
【０１１４】
ステップＳ１２２「離席超過時間セット・離席超過画面セット」において情報処理部１０１は、離席超過時間をセットする。具体的には、情報処理部１０１は、離席超過時間経過の判断を行う際の比較対象となる離席超過時間（例：１５分）をセットし（なお、離席終了時間＝離席時間＋離席超過時間の関係がある。）、図１１（５）に示す離席超過画面をセットする。次いで、ステップＳ１２４に進む。なお、後のステップＳ５００の表示処理にて情報処理部１０１は、ステップＳ１２２にてセットした離席超過画面を表示すると共に、時間超過を表示させる（図１１（５））。
【０１１５】
ステップＳ１２４「上位管理装置に離席超過通知」において情報処理部１０１は、持玉・プリペイドサーバ２００に対し、離席超過の状態に遷移したことを送信する。なお、図４（ｂ）で示すように、情報処理部１０１は、持玉・プリペイドサーバ２００に対し、離席超過通知に伴い、離席モード情報、カードＩＤ、台番号を送信する。図１２は、台間機１０、１０Ｃから持玉・プリペイドサーバ２００に対して送信され時系列に蓄積された離席情報の一例を示している。図１２中のＮо２は、ステップＳ１２４において、台間機１０、１０Ｃから持玉・プリペイドサーバ２００に送信された情報である。次いで、情報処理部１０１が実行する処理は、ステップＳ１３０に進む。
【０１１６】
ステップＳ１２６「離席超過画面用の時間超過更新」において情報処理部１０１は、経過時間（変数）から離席時間（例：１０分）を減算して、図１１（５）の離席超過画面に表示する時間超過（変数）の時間を更新する。次いで、ステップＳ１３０に進む。なお、後のステップＳ５００の表示処理にて情報処理部１０１は、更新した時間超過の時間を、図１１（５）に示す離席超過画面に表示させる。
【０１１７】
ステップＳ１３０「カード挿入？」において情報処理部１０１は、カードリーダライタ４０にカードが挿入されているか否かを判断する。具体的には、情報処理部１０１が、カードリーダライタ４０からカード挿入情報を受信したか否かにより判断する。カードが挿入されている場合には（ステップＳ１３０でＹＥＳ）、ステップＳ１３２に進み、そうでなければ（ステップＳ１３０でＮＯ）、ステップＳ１４０に進む。
【０１１８】
ステップＳ１３２「離席カード？」において情報処理部１０１は、挿入されたカードが離席カードか否かを判断する。具体的には、情報処理部１０１は、挿入されたカードに離席モード情報が記録されているか否かを判断する。カードが離席カードの場合には（ステップＳ１３２でＹＥＳ）、ステップＳ１３４に進み、そうでなければ（ステップＳ１３２でＮＯ）、ステップＳ１３８に進む。
【０１１９】
ステップＳ１３４「カードＩＤ一致？」において情報処理部１０１は、カードに記録されているカードＩＤと、ＲＡＭ１０３に記憶されているカードＩＤとが、一致するか否かを判断する。一致する場合には（ステップＳ１３４でＹＥＳ）、ステップＳ１１０に進んで離席モードを解除し、そうでなければ（ステップＳ１３４でＮＯ）、ステップＳ１３６に進む。
【０１２０】
ステップＳ１３６「他の台間機で離席モードがセットされている旨の表示」において情報処理部１０１は、表示部５０に「他の遊技台を確保中」である旨の表示（図１１（６）に示す確保中画面の表示）をさせる。また、図１１（６）の確保中画面の下部に示すように、情報処理部１０１は、離席カードから読み取った台番号や、「残り時間」又は「時間超過」を表示させることができる。次いで、情報処理部１０１が実行する処理は、ステップＳ１３８に進む。
【０１２１】
（離席モード開始時刻がカードに記録されている実施形態の説明）
「残り時間」は、離席カード記載の離席モード開始時刻に離席時間（例：１０分）を加算した時刻から、現在時刻（ＲＴＣ１０５等から取得）を引いた時間で算出することができる。また、「時間超過」として、現在時刻から、離席モード開始時刻と離席時間を減算した時間を表示させることができる。
【０１２２】
（離席モード終了時刻がカードに記録されている実施形態の説明）
「残り時間」は、離席カード記載の離席モード終了時刻から、離席超過時間（例：１５分）及び現在時刻（ＲＴＣ１０５等から取得）を引いた時間で算出することができる。また、「時間超過」として、現在時刻に離席超過時間（例：１５分）を加算した時刻から、離席カード記載の離席モード終了時刻を減算した時間を表示させることができる。
【０１２３】
ステップＳ１３８「カード返却処理」において情報処理部１０１は、カードリーダライタ４０に対し、カード又は離席カードを排出させるフラグをセットする（実際のカードの返却はカードＲ／Ｗ処理（ステップＳ７００）で行う）。次いで、ステップＳ１４０に進む。
【０１２４】
ステップＳ１４０「離席モード強制解除操作？」において情報処理部１０１は、ホールスタッフによるリモコン１２２の操作「離席モード強制解除」が行われた旨の情報を取得したか否かを判断する。取得した場合には（ステップＳ１４０でＹＥＳ）、ステップＳ１１０に進み、そうでなければ（ステップＳ１４０でＮＯ）、ステップＳ１４２に進む。
【０１２５】
ステップＳ１４２「離席モードリモート解除指示？」において情報処理部１０１は、持玉・プリペイドサーバ２００から、離席モードをリモート解除する旨の指示を取得したか否かを判断する。取得した場合には（ステップＳ１４２でＹＥＳ）、ステップＳ１１０に進み、そうでなければ（ステップＳ１４２でＮＯ）、ステップＳ１４４に進む。
【０１２６】
ステップＳ１４４「離席（超過）画面表示」を処理が通過する状態は、表示部５０には図１１（４）に示す離席画面、又は図１１（５）に示す離席超過画面が表示される状態である。次いで、情報処理部１０１が実行する処理は、メイン処理に戻る。
【０１２７】
〔カード受入処理（ステップＳ２００）の説明〕
図１０を参照して、図８に示したカード受入処理（ステップＳ２００）の詳細について説明する。カード受入処理（ステップＳ２００）は、主に離席モード中ではない台間機１０、１０Ｃにカードが挿入された際の処理である。
【０１２８】
ステップＳ２０２「離席モード中？」において情報処理部１０１は、現在離席モード中であるか否かを判断する。具体的には、情報処理部１０１は、台間機１０、１０ＣのＲＡＭ１０３に、離席モード情報が記憶されている状態か否かを判断する。離席モード中である場合には（ステップＳ２０２でＹＥＳ）、メイン処理に戻り、そうでなければ（ステップＳ２０２でＮＯ）、ステップＳ２０４に進む。
【０１２９】
ステップＳ２０４「カード挿入？」において情報処理部１０１は、カードリーダライタ４０にカードが挿入されているか否かを判断する。具体的には、情報処理部１０１が、カードリーダライタ４０からカード挿入情報を受信したか否かにより判断する。カードが挿入されている場合には（ステップＳ２０４でＹＥＳ）、ステップＳ２０６に進み、そうでなければ（ステップＳ２０４でＮＯ）、ステップＳ２４４に進む。
【０１３０】
ステップＳ２０６「離席カード？」において情報処理部１０１は、挿入されたカードが離席カードであるか否かを判断する。具体的には、情報処理部１０１は、挿入されたカードに離席モード情報が記録されているか否かを判断する。カードが離席カードの場合には（ステップＳ２０６でＹＥＳ）、ステップＳ２０８に進み、そうでなければ（ステップＳ２０６でＮＯ）、ステップＳ２４０に進む。
【０１３１】
ステップＳ２０８「離席モード自動解除設定有？」において情報処理部１０１は、離席モード自動解除の設定があるか否かを判断する。ステップＳ２０８の離席モード自動解除の設定は、離席カードを排出した台間機１０、１０Ｃ以外の他の台間機１０、１０Ｃ（他機）に当該離席カードを挿入すると、離席モード終了時刻以降であれば当該離席カードであっても他の台間機１０、１０Ｃ（他機）に受け入れ可能とする設定である。離席モード自動解除の設定を設けることにより、離席モード終了時刻以後に台移動を行うに当たり、ホールスタッフを呼んで離席モードの解除をしてもらう操作が不要である。離席モード自動解除が設定されている場合には（ステップＳ２０８でＹＥＳ）、ステップＳ２１０に進み、そうでなければ（ステップＳ２０８でＮＯ）、ステップＳ２１２に進む。
【０１３２】
ステップＳ２１０「離席モード終了時刻経過？」において情報処理部１０１は、離席モード終了時刻を経過しているか否かを判断する。離席モード終了時刻を経過している場合には（ステップＳ２１０でＹＥＳ）、ステップＳ２２９に進み、そうでなければ（ステップＳ２１０でＮＯ）、ステップＳ２１２に進む。なお上記の実施例では、ステップＳ２１０においてＮＯの場合に、ステップＳ２１２に進む実施例を説明したが、図１０中の（Ｚ）のルートで示すように、ステップＳ２１６に進む構成を採用することもできる。また、図１０中の（Ｘ）のルートで示すように、ステップＳ２２０に進む構成を採用することもできる。
【０１３３】
（離席モード開始時刻がカードに記録されている実施形態の説明）
離席モード開始時刻が離席カードに記録されている場合には、情報処理部１０１は、離席カードから読み取った離席モード開始時刻に、ＲＡＭ１０３に記憶された離席終了時間（例：２５分）を加算して離席モード終了時刻を算出し、ＲＴＣ１０５等から取得した現在時刻がこの離席モード終了時刻を経過しているか否かを判断する。
【０１３４】
（離席モード終了時刻がカードに記録されている実施形態の説明）
離席モード終了時刻が離席カードに記録されている場合には、情報処理部１０１は、ＲＴＣ１０５等から取得した現在時刻が、離席カードから読み取った離席モード終了時刻を経過しているか否かを判断する。
【０１３５】
ステップＳ２１２「他の遊技台を確保中の表示」において情報処理部１０１は、表示部５０に「他の遊技台を確保中」である旨の表示（図１１（６）に示す確保中画面の表示）を行う。また、図１１（６）の確保中画面の下部に示すように、情報処理部１０１は、離席カードから読み取られた台番号や、「残り時間」、「時間超過」を表示させることができる。次いで、情報処理部１０１が実行する処理は、ステップＳ２１４に進む。
【０１３６】
（離席モード開始時刻がカードに記録されている実施形態の説明）
「残り時間」は、離席カード記載の離席モード開始時刻に離席時間（例：１０分）を加算した時刻から、現在時刻（ＲＴＣ１０５等から取得）を引いた時間で算出することができる。また、「時間超過」として、現在時刻から、離席モード開始時刻と離席時間を減算した時間を表示させることができる。
【０１３７】
（離席モード終了時刻がカードに記録されている実施形態の説明）
「残り時間」は、離席カード記載の離席モード終了時刻から、離席超過時間（例：１５分）及び現在時刻（ＲＴＣ１０５等から取得）を引いた時間で算出することができる。また、「時間超過」として、現在時刻に離席超過時間（例：１５分）を加算した時刻から、離席カード記載の離席モード終了時刻を減算した時間を表示させることができる。
【０１３８】
ステップＳ２１４「通信オフライン？」において情報処理部１０１は、持玉・プリペイドサーバ２００との通信状況がオフラインであるか否かを判断する。情報処理部１０１は、持玉・プリペイドサーバ２００との間で通信が不可能な状態（何らかの障害（故障、断線など）が存在することにより、台間機１０、１０Ｃと持玉・プリペイドサーバ２００との間で通信ができなくなっている状態、又は通信を遮断している状態）であれば、オフラインと判断する。オフラインである場合には（ステップＳ２１４でＹＥＳ）、ステップＳ２１６に進み、そうでなければ（ステップＳ２１４でＮＯ）、ステップＳ２２０に進む。
【０１３９】
ステップＳ２１６「カード返却処理」において情報処理部１０１は、離席カードを排出するフラグをセットする（実際の離席カードの排出はカードＲ／Ｗ処理（ステップＳ７００）で行う。）。次いで、ステップＳ２１８に進む。
【０１４０】
ステップＳ２１８「待受画面表示」において情報処理部１０１は、図１１（１）に示す待受画面を表示部５０に表示させる。次いで、メイン処理に戻る。
【０１４１】
ステップＳ２２０「離席カードを排出した台間機は現在離席モード中？」において情報処理部１０１は、離席カードを排出した台間機１０、１０Ｃは離席モードに移行しているか否か判断する。情報処理部１０１は、離席カードを排出した台間機１０、１０Ｃにおいて、既に離席モードがホールスタッフの操作により強制解除（ステップＳ１４０でＹＥＳ）されているか否かを、持玉・プリペイドサーバに２００に問い合わせて判断する。離席カードを排出した台間機１０、１０Ｃが離席モードに移行している場合には（ステップＳ２２０でＹＥＳ）、ステップＳ２２２「離席カードをこの台で使用しますか？」に進んで表示部５０に図１１（７）に示す開放入力画面を表示させた後にステップＳ２２４に進み、そうでなければ（ステップＳ２２０でＮＯ）、ステップＳ２２９に進む。
【０１４２】
ステップＳ２２４「離席カードを使用する？」において情報処理部１０１は、遊技者に対し離席カードを使用するか否かを確認する。情報処理部１０１は、表示部５０に図１１（７）に示す開放入力画面を表示した状態で、「使用する」ボタンが押下された場合は（ステップＳ２２４でＹＥＳ）、ステップＳ２２８に進み、「返却する」ボタンが押下された場合は（ステップＳ２２４でＮＯ）、ステップＳ２１６に進む。
【０１４３】
ステップＳ２２８「上位管理装置に離席モードリモート解除を通知」において情報処理部１０１は、離席カードを排出した台間機１０、１０Ｃ（自機）の離席モードをリモート解除するための指示を、離席カードが挿入された台間機１０、１０Ｃ（他機）から持玉・プリペイドサーバ２００に通知する。情報処理部１０１は、持玉・プリペイドサーバ２００に対し、離席カードより取得された離席モード情報（リモート解除通知）、カードＩＤ、台番号等を送信する。なお、図７（ｈ）で示すように、持玉・プリペイドサーバ２００は、送信されたカードＩＤにより離席カードを排出した台間機１０、１０Ｃ（自機）を特定し、該台間機１０、１０Ｃ（自機）に離席モードをリモート解除する旨の指示を送信する。指示を受信した該台間機１０、１０Ｃ（自機）は、ステップＳ１４２「離席モードリモート解除指示？」においてＹＥＳのフローを進行する。次いで、情報処理部１０１が実行する処理は、ステップＳ２３０に進む。
【０１４４】
ステップＳ２２９「他の遊技台開放を一時的に表示」において情報処理部１０１は、表示部５０に、図１１（８）に示す開放済画面（確保した下記の遊技台は解放された旨の表示）を表示させる。また、情報処理部１０１は、図１１（８）の開放済画面の下部に、離席カードから読み取られた台番号や、残り時間が０分の表示を、表示部５０に表示させる。次いで、情報処理部１０１が実行する処理は、ステップＳ２３０に進む。
【０１４５】
ステップＳ２３０「カードの情報を削除」において情報処理部１０１は、カードリーダライタ４０に対し、離席カードに記録されている、離席モード情報、台番号、及び、離席モード開始（終了）時刻等の記録を削除するフラグをセットする（離席カードへの書き込みはカードＲ／Ｗ処理（ステップＳ７００）で行う。）。次いで、ステップＳ２４０「カード受入れ」に進み、挿入されたカードを使用可能な状態にセットする。次いで、ステップＳ２４２に進む。
【０１４６】
ステップＳ２４２「待機画面表示」において情報処理部１０１は、カードに記録されている通貨の残高や、持玉・プリペイドサーバ２００、貯玉サーバ１１５から取得した持玉情報、貯玉情報を、表示部５０に表示させる（図１１（２）に示す待機画面）。次いで、メイン処置に戻る。
【０１４７】
ステップＳ２４４「待受画面表示」を処理が通過する際には、表示部５０には図１１（１）に示す待受画面が表示されている。次いで、メイン処置に戻る。
【０１４８】
〔台間機１０、１０Ｃが奏する作用効果の説明〕
第１実施形態に係る台間機１０、１０Ｃについて、台間機１０、１０Ｃの情報処理部１０１は、表示部５０の離席ボタン５２の操作情報を取得する（ステップＳ１７０）と、自機を離席モードに移行させ（ステップＳ１７２）、ＲＡＭ１０３に、台間機１０、１０Ｃが離席モードに移行したことを示す離席モード情報と、カードに記録されているカードＩＤとを関連付けて記憶し（ステップＳ１７４）、情報処理部１０１による時間の計時を開始し、カードリーダライタ４０に対して、離席モード情報と離席モード開始（終了）時刻とをカードに記録して（ステップＳ１８０）排出する（ステップＳ１８２）ことを指示する。
【０１４９】
このように構成することによって、台間機１０、１０Ｃにおいてカードに離席モード情報と離席モード開始（終了）時刻を記録した場合において、台間機１０、１０Ｃ(他機)がカードの読み取りを行った際に、台間機１０、１０Ｃ(他機)の処理のみで、持玉・プリペイドサーバ２００に対する問い合わせをすることなく（例えばオフライン時であっても）、カードが使用可能か否かの判断をすることが可能になる。このため、台間機１０、１０Ｃ(他機)で遊技を行うのにホールスタッフによるカードの情報消去等の手続きを省略することができる。したがって、第１実施形態の台間機１０、１０Ｃによれば、遊技者の一時離席に関連する手続きを簡略化して、遊技者の利便性を向上することができる。また、遊技ホールに設置されている遊技機２の稼働率を向上させることができる。
【０１５０】
また、台間機１０、１０Ｃの情報処理部１０１は、台間機１０、１０Ｃ（自機）が離席モードに移行しており（ステップＳ１０２）、計時した時間が、離席終了時間以後である場合には（ステップＳ１０７）、離席モードを解除する（ステップＳ１１０）。
【０１５１】
このように構成することによって、離席モードで使用禁止となっていた台間機１０、１０Ｃを離席終了時間で即座に自動解除して他の遊技者に開放することができる。このため、一人の遊技者による複数台の遊技機２の確保を制止することができ、遊技ホールに設置されている遊技機２の稼働率を向上させることができる。
【０１５２】
また、台間機１０、１０Ｃの情報処理部１０１は、台間機１０、１０Ｃ（他機）が離席モードに移行しておらず（ステップＳ２０２）、離席カードがカードリーダライタ４０に挿入された場合において（ステップＳ２０４）、現在時刻が、離席モード終了時刻以降である場合には（ステップＳ２１０）、当該離席カードを受入れて使用可能とする（ステップＳ２４０）。
【０１５３】
このように構成することによって、離席モードに移行していた台間機（自機）において離席モード終了時刻が経過したこと等によって離席モードを自動で解除するとともに、離席カードを用いて他の台間機（他機）での遊技が可能となる。従って、遊技者が台間機１０、１０Ｃ(他機)を利用して遊技を行う際にホールスタッフによる離席カードの情報消去等の手続きを省略することができ、遊技者の利便性を向上することができる。また、一人の遊技者による複数台の遊技機２の確保を制止することができ、遊技ホールに設置されている遊技機２の稼働率を向上させることができる。
【０１５４】
また、台間機１０、１０Ｃの情報処理部１０１は、台間機１０、１０Ｃ（他機）が離席モードに移行しておらず（ステップＳ２０２）、離席カードがカードリーダライタ４０に挿入された場合において（ステップＳ２０４）、現在時刻が、離席モード終了時刻より前である場合には（ステップＳ２１０）、当該離席カードの使用を禁止して返却する（ステップＳ２１６）。
【０１５５】
このように構成することによって、一人の遊技者による複数台の確保を制止することができ、遊技ホールの稼働率の向上させることができる。
【０１５６】
また、台間機１０、１０Ｃ（自機）が離席モードに移行しており（ステップＳ１０２）、離席カードがカードリーダライタ４０に挿入された場合には（ステップＳ１３０）、ＲＡＭ１０３において離席モード情報と関連付けて記憶されているカードＩＤと、カードリーダライタ４０に挿入されたカードＩＤとを比較して、比較結果が一致する場合（ステップＳ１３４）には離席モードを解除し（ステップＳ１１０）、カードリーダライタ４０に対して、離席モード情報の削除を指示し（ステップＳ１１４）、挿入された離席カードを受入れて使用可能とする。
【０１５７】
また、台間機１０、１０Ｃ（自機）が離席モードに移行しており（ステップＳ１０２）、離席モード情報が記録されていないカード（非離席カード）がカードリーダライタ４０に挿入された場合には（ステップＳ１３０）、当該非離席カードの使用を禁止すると共にカードを返却する（ステップＳ１３８）。
【０１５８】
このように構成することによって、離席モード時に、他のカードを使用禁止にすることにより、離席モードを設定した遊技者以外の使用を禁止することができる。また、離席カードの挿入による台間機（自機）の離席モードの自動解除をすることができるので、ホールスタッフによる確認・解除の手間が不要となり、遊技者の利便性を向上することができる。
【０１５９】
また、台間機１０、１０Ｃの情報処理部１０１は、台間機１０、１０Ｃ（他機）が離席モードに移行しておらず（ステップＳ２０２）、離席カードがカードリーダライタ４０に挿入された場合において（ステップＳ２０４、ステップＳ２０６）、現在時刻が、離席モード終了時刻より前である場合には（ステップＳ２１０）、離席モードの残り時間を表示部５０に表示させる（ステップＳ２１２）。
【０１６０】
このように構成することによって、台間機(他機)にて離席モードの残り時間を表示することができるので、離席モードを設定した台間機（自機）まで戻らなくても台間機(他機)にて離席残り時間を確認できるので、遊技者の利便性を向上することができる。
【０１６１】
また、ＲＡＭ１０３は、台間機１０、１０Ｃ（自機）に併設される遊技機２の台番号を離席モード情報と関連付けて記憶しており（ステップＳ２０又はステップＳ８００）、情報処理部１０１は、表示部５０から離席ボタン５２の操作情報を取得して（ステップＳ１７０）、台間機１０、１０Ｃを離席モードに移行すると（ステップＳ１７２）、カードリーダライタ４０に対して、離席モード情報と離席モード開始（終了）時刻と併せて台番号をカードに記録して（ステップＳ１８０）排出する（ステップＳ１８２）。次いで、台間機１０、１０Ｃ（他機）の情報処理部１０１は、台間機１０、１０Ｃ（他機）が離席モードに移行しておらず（ステップＳ２０２）、離席カードがカードリーダライタ４０に挿入された場合において（ステップＳ２０４）、現在時刻が、離席モード終了時刻より前である場合には（ステップＳ２１０）、当該離席カードに記録されている台番号を取得して、表示部５０に、取得した台番号を表示させる（ステップＳ２１２）。
【０１６２】
このように構成することによって、台間機１０、１０Ｃ（他機）において、遊技を行っていた台間機１０、１０Ｃ（自機）の台番号を表示して知ることができるので、遊技者の利便性を向上することができる。
【０１６３】
また、台間機１０、１０Ｃ（自機）の情報処理部１０１は、離席モードに移行させると（ステップＳ１７２）、離席モード情報と、カードＩＤとを関連付けて持玉・プリペイドサーバ２００に送信する（ステップＳ１７８）。また、持玉・プリペイドサーバ２００から、離席モードをリモート解除する指示を取得した場合には（ステップＳ１４２）、離席モードを解除する（ステップＳ１１０）。
【０１６４】
このように構成することによって、持玉・プリペイドサーバ２００が、離席モード情報等を管理することができるので、持玉・プリペイドサーバ２００において離席モードの履歴確認ができ、離席モード運用状況の把握、自動解除した際のトラブルを抑制することができる。また、持玉・プリペイドサーバ２００からの指示で台間機１０、１０Ｃ（自機）の離席モードをリモート解除することができるので、遊技者の利便性を向上することができると共に、遊技ホールに設置されている遊技機２の稼働率を向上させることができる。
【０１６５】
また、台間機１０、１０Ｃ（他機）が離席モードに移行しておらず（ステップＳ２０２）、離席カードがカードリーダライタ４０に挿入された場合において（ステップＳ２０４、ステップＳ２０６）、現在時刻が、離席モード終了時刻より前である場合には、表示部５０に、台間機１０、１０Ｃ（自機）の離席モードをリモート解除するか否かの判断を遊技者に乞う情報を表示し（ステップＳ２２２）、表示部５０の操作ボタンから、台間機１０、１０Ｃ（自機）の離席モードをリモート解除する指示を取得すると（ステップＳ２２４）、リモート解除指示とカードＩＤとを通信Ｉ／Ｆ１１０を介して持玉・プリペイドサーバ２００に送信して（ステップＳ２２８）、挿入された離席カードを受入れて使用可能とし（ステップＳ２４０）、操作ボタン５１から、台間機１０、１０Ｃの離席モードをリモート解除しない指示を取得すると、挿入された離席カードの使用を禁止して返却する。
【０１６６】
このように構成することによって、台間機１０、１０Ｃ（他機）で離席カードを使用した場合に、離席モードとなっていた台間機１０、１０Ｃ（自機）の離席モードを遊技者の判断でリモート解除することができるので、遊技ホールに設置されている遊技機２の稼働率を向上させることができる。また、台間機１０、１０Ｃ（他機）を使用するのにホールスタッフによる離席カードの情報消去等の手続きを省略することができるので、遊技者の利便性を向上することができる。
【０１６７】
＜第２実施形態＞
上述の第１実施形態では、遊技媒体を取り扱う台間機１０、１０Ｃの離席モードについて説明したが、本発明に係る離席モードは、メダルレス遊技機２Ｂや、循環式の玉を用いる封入式パチンコ機２Ｄに併設される台間機１０Ａに搭載することもできる。第２実施形態の台間機１０Ａの説明においては、上述の第１実施形態の台間機１０との相違点についてのみ以下に説明して、同一の構成、作用、効果については説明を省略する。
【０１６８】
以下、第２実施形態に係る台間機１０Ａについて、図面を参照して説明する。図１５（ａ）は、メダルレス遊技機２Ｂと台間機１０Ａの正面図が示されている。図１５（ｂ）は、玉循環式のパチンコ機２Ｄと台間機１０Ａの正面図が示されている。遊技ホールにおいては、複数の遊技機２と、該遊技機２の側方位置には遊技機２に対して１対１に対応して台間機１０Ａが併設されている。第２実施形態に係る台間機１０Ａは、玉やメダルなどの遊技媒体を取り扱わない構成である。
【０１６９】
〔台間機１０Ａの説明〕
図１３〜１５を参照して、台間機１０Ａについて説明する。図１３には、台間機１０Ａの概略斜視図が示されている。図１４は、台間機１０Ａにおけるハードウェアの概略構成を示すブロック図が示されている。図１５（ａ），（ｂ）には、台間機１０Ａの正面図が示されている。台間機１０Ａは、貨幣の投入、又は、カードを挿入することで遊技価値情報を遊技機２に送信し、遊技機２での遊技を可能とする装置であって、制御部１００Ａと、紙幣硬貨処理装置３０と、カードリーダライタ４０と、表示部５０と、表示ランプ６０と、カメラ７０と、リモコン送受光部８０を備えている点で、第１実施形態で説明した台間機１０、１０Ｃと共通する。第２実施形態の台間機１０Ａには、払出装置及び計数装置が存在しない点が構成上相違する。また、台間機１０Ａは、図１５（ａ）（ｂ）に示すように遊技機２の右側及び左側のいずれの側にも設置することが可能であるため、表示部５０（図１３参照）の表示方向は、右方向及び左方向のいずれの方向にも向きを変更できるように回動可能な構造を有している。更に、遊技者が表示部５０を見易い位置に調節可能なように、表示部５０の表示方向は任意の角度で保持出来る構造を有している。
【０１７０】
制御部１００Ａは、情報処理部１０１Ａ、通信Ｉ／Ｆ１１０、遊技価値管理部１１１等から構成され、台間機１０Ａに搭載されている周辺機器に対する各種の制御や処理をプログラムに基づいて行う。
【０１７１】
遊技価値管理部１１１は、メダルレス遊技機２Ｂ、又は封入式パチンコ機２Ｄとの間で情報の送受信を行う。遊技価値管理部１１１が遊技価値情報をメダルレス遊技機２Ｂ、又は封入式パチンコ機２Ｄに送信すると、当該遊技価値情報を受信したメダルレス遊技機２Ｂ、又は封入式パチンコ機２Ｄにおいて遊技の実行が可能となる。メダルレス遊技機２Ｂ、又は封入式パチンコ機２Ｄにおいて遊技が終了した際には、メダルレス遊技機２Ｂ、又は封入式パチンコ機２Ｄが遊技価値情報を出力し、遊技価値管理部１１１が当該遊技価値情報を受信する。また、遊技価値管理部１１１は、接続されているメダルレス遊技機２Ｂ、又は封入式パチンコ機２Ｄの遊技機情報（機種情報、性能情報、設置情報、遊技価値のＩＮ・ＯＵＴ情報、不正監視情報等）や、遊技状態情報（ボーナス情報、アシストタイム情報、確変情報、時短情報等）を取得することもできる。
【０１７２】
通信Ｉ／Ｆ１１０が送受信する情報は、第１実施形態における送受信情報に加えて、遊技価値管理部１１１がメダルレス遊技機２Ｂ、封入式パチンコ機２Ｄに出力した遊技価値情報、遊技価値管理部１１１がメダルレス遊技機２Ｂ、又は封入式パチンコ機２Ｄから取得した遊技価値情報や遊技機情報が含まれる。
【０１７３】
〔台間機１０Ａの操作に関する概略説明〕
利用者がメダルレス遊技機２Ｂ、又は封入式パチンコ機２Ｄを用いて遊技を行う場合には、例えば紙幣を紙幣硬貨処理装置３０に挿入する。台間機１０Ａの情報処理部１０１は、通貨価値及び残高情報をカードに移行させると共に、通貨価値及び残高情報を台間機１０ＡのＲＡＭ１０３に記憶させて表示等に用いる。次に、利用者が操作ボタン５１を操作すると、台間機１０Ａは通貨価値を遊技価値に変換した遊技価値情報を生成してメダルレス遊技機２Ｂ、又は封入式パチンコ機２Ｄに出力する。メダルレス遊技機２Ｂ、又は封入式パチンコ機２Ｄでは、台間機１０Ａから取得した遊技価値情報に基づいて遊技を実行することができる。
なお、台間機１０Ａは、カードと関連付けられている残高情報、持玉情報、又は貯玉情報に基づいて遊技価値情報を生成してメダルレス遊技機２Ｂ、又は封入式パチンコ機２Ｄに出力することもできる。
【０１７４】
遊技が終了して利用者がメダルレス遊技機２Ｂ、又は封入式パチンコ機２Ｄに設けられている計数ボタン（図示せず）を押すと、メダルレス遊技機２Ｂ、又は封入式パチンコ機２Ｄは遊技価値情報を台間機１０Ａに出力する。台間機１０Ａは、メダルレス遊技機２Ｂ、又は封入式パチンコ機２Ｄから取得した遊技価値情報を持玉情報に変換する。利用者がカード返却ボタンを押すと、残高情報が記録されているカードを排出する。
【０１７５】
第２実施形態において、その他の構成は上述した第１実施形態と同じであるので、同一部分には同一符号を付して説明は省略する。
【０１７６】
〔台間機１０Ａが実行する処理の説明〕
図１６、１７は、台間機１０Ａの処理を示すフローチャートである。図１６は台間機１０Ａが実行するメイン処理（ステップＳ１０Ａ）を示し、図１７はメイン処理（ステップＳ１０Ａ）を構成する自機離席処理（ステップＳ１００Ａ）の詳細処理について示している。なお、第１実施形態の図８にて説明したＳ４００「計数処理」は、メダルレス遊技機２Ｂ又は封入式パチンコ機２Ｄ用の台間機１０Ａには存在しない。
【０１７７】
〔メイン処理（ステップＳ１０Ａ）の説明〕
【０１７８】
図１６を参照して、メイン処理（ステップＳ１０Ａ）の詳細について説明する。情報処理部１０１Ａは、入出力処理（ステップＳ３０）を実行した後に、自機離席処理（ステップＳ１００Ａ）に進む。自機離席処理（ステップＳ１００Ａ）についての詳細は後述する。
【０１７９】
次いで、情報処理部１０１Ａは、カード受入処理（ステップＳ２００）を実行し、次いで、貸出処理（ステップＳ３００Ａ）に進む。貸出処理（ステップＳ３００Ａ）は、遊技者の操作ボタン５１（貸出ボタン、払出ボタン）の押下に基づき、情報処理部１０１Ａが遊技価値情報をメダルレス遊技機２Ｂ、又は封入式パチンコ機２Ｄに出力する処理である。
【０１８０】
上位通信処理（ステップＳ８００Ａ）は、第１実施形態における上位通信処理（ステップＳ８００）の処理に加えて、遊技価値管理部１１１がメダルレス遊技機２Ｂ、又は封入式パチンコ機２Ｄに出力した遊技価値情報、遊技価値管理部１１１がメダルレス遊技機２Ｂ、又は封入式パチンコ機２Ｄから取得した遊技価値情報や遊技機情報を、持玉・プリペイドサーバ２００と送受信する。
【０１８１】
メイン処理（ステップＳ１０Ａ）における、その他の処理は第１実施形態と同一であるので、同一の処理には同一の符号を付して説明を省略する。
【０１８２】
〔自機離席処理（ステップＳ１００Ａ）の説明〕
図１７を参照して、自機離席処理（ステップＳ１００Ａ）の詳細について説明する。自機離席処理（ステップＳ１００Ａ）では、遊技者の操作による台間機１０Ａの離席モードへの移行処理や、離席モード中の台間機１０Ａに離席カードが挿入された際の離席モードの解除処理等を行う。
【０１８３】
ステップＳ１７２Ａ「離席モードに移行」において情報処理部１０１Ａは、台間機１０Ａを離席モードへ移行させ、入金操作や払出操作、貸出操作を禁止し、他人による台間機１０Ａの使用を制限して、当該台間機１０Ａに併設されている遊技機２の使用を制限する。情報処理部１０１Ａは、紙幣硬貨処理装置３０に対し入金が不可能な状態にセットし、操作ボタン５１（貸出ボタン、払出ボタン、カード返却ボタン）が押された情報を無効化して、持玉の遊技価値の情報を併設される遊技機２に移行させる操作の無効化、残高を遊技価値に変換した情報を併設される遊技機２に移行させる操作の無効化、カード返却処理の無効化等をする。次いで、ステップＳ１７４に進む。
【０１８４】
自機離席処理（ステップＳ１００Ａ）の説明において、その他の処理は第１実施形態と同一であるので、同一の処理には同一の符号を付して説明を省略する。また、カード受入処理（ステップＳ２００）については、第１実施形態と同一の処理なので省略する。
【０１８５】
第２実施形態によれば、上述した第１実施形態と同様の作用効果を奏する。
【０１８６】
上述した実施形態において、パチスロ機２Ａ、メダルレス遊技機２Ｂ、パチンコ機２Ｃ、封入式パチンコ機２Ｄが本発明の「遊技機」に相当し、カード又は携帯電話等が本発明の「記録媒体」に相当し、カードＩＤが本発明の「記録媒体固有の識別情報」に相当し、カードリーダライタ４０が本発明の「リーダライタ」に相当し、表示部５０が本発明の「表示手段、指示取得手段」に相当し、情報処理部１０１、１０１Ａが本発明の「計時手段、離席モード管理手段」に相当し、ＲＡＭ１０３、ＲＯＭ１０４が本発明の「記憶手段」に相当し、ＲＴＣ１０５又はＣＰＵ１０２が本発明の「現在時刻取得手段」に相当し、通信Ｉ／Ｆ１１０が本発明の「通信手段」に相当し、持玉・プリペイドサーバ２００が本発明の「上位管理装置」に相当する。なお、現在時刻は、上記の実施形態で説明したようにＲＴＣ１０５から取得することができるが、ＣＰＵ１０２が上位管理装置から取得することもできる。
【０１８７】
上述した実施形態に示すように、離席モードへの移行及び解除に係る発明は、パチスロ機２Ａ、メダルレス遊技機２Ｂ、パチンコ機２Ｃ、封入式パチンコ機２Ｄ等に併設される台間機１０、１０Ａ、１０Ｃに適用することができる。
【０１８８】
本発明は上記の実施形態及び実施例の例示に限定されるものでなく、特許請求の範囲の技術的範囲には、発明の要旨を逸脱しない範囲内で種々、設計変更した形態が含まれる。
【符号の説明】
【０１８９】
２  遊技機
２Ａ  パチスロ機
２Ｂ  メダルレス遊技機
２Ｃ  パチンコ機
２Ｄ  封入式パチンコ機
１０、１０Ａ、１０Ｃ  台間機
４０  カードリーダライタ（リーダライタ）
５０  表示部（表示手段、指示取得手段）
１０２  ＣＰＵ（現在時刻取得手段）
１０３  ＲＡＭ（記憶手段）
１０４  ＲＯＭ（記憶手段）
１０５  ＲＴＣ（現在時刻取得手段）
１１０  通信Ｉ／Ｆ（通信手段）
１０１  情報処理部（離席モード管理手段，計時手段）
２００  持玉・プリペイドサーバ（上位管理装置）
【図１】
2020185429.tif 000003
【図２】
2020185429.tif 000004
【図３】
2020185429.tif 000005
【図４】
2020185429.tif 000006
【図５】
2020185429.tif 000007
【図６】
2020185429.tif 000008
【図７】
2020185429.tif 000009
【図８】
2020185429.tif 000010
【図９】
2020185429.tif 000011
【図１０】
2020185429.tif 000012
【図１１】
2020185429.tif 000013
【図１２】
2020185429.tif 000014
【図１３】
2020185429.tif 000015
【図１４】
2020185429.tif 000016
【図１５】
2020185429.tif 000017
【図１６】
2020185429.tif 000018
【図１７】
2020185429.tif 000019